(57)【要約】【課題】  遊技者が遊技場まで出向いて会員登録することなく、遊技機の予約を実施できるようにすること。【解決手段】  会員情報記憶手段１２４を有する会員管理装置１２０と、遊技者が情報端末１６から会員登録要求を受付ける登録要求受付手段１４と、会員特定情報決定手段１４５にて決定した会員特定情報を情報端末１６に返信する会員特定情報通知手段１４と、遊技者が会員登録を実施した旨を記憶するための会員登録者記憶手段１４５と、会員登録情報を会員管理装置１２０に送信する登録情報送信手段１４０と、会員登録が実施されていることを条件に、遊技者が情報端末１６から予約を所望する遊技機の遊技機識別情報を受付ける予約要求受付手段１４と、予約要求に含まれる遊技機識別情報と、遊技者の会員特定情報とを対応付けて予約情報として記憶する予約情報記憶手段１４５と、を有する予約管理装置１４０を備える。【選択図】  図１
2005124607.tif 000002
【特許請求の範囲】
【請求項１】
遊技場に設けられ、当該遊技場の会員登録をした会員遊技者を個々に識別可能な会員識別情報に対応付けて、当該会員遊技者に関する会員属性情報を記憶するための会員情報記憶手段を有する会員管理装置と、
通信回線網を介して接続された遊技者が操作可能な情報端末から、前記遊技場の会員登録に必要な会員属性情報を含む会員登録要求を受付ける登録要求受付手段と、
該登録要求受付手段にて受付けた会員登録要求を行った情報端末の操作者である遊技者に付与される前記会員識別情報を特定するための会員特定情報を決定する会員特定情報決定手段と、
該会員特定情報決定手段にて決定した会員特定情報を、前記会員登録要求を行った情報端末に返信することで該会員特定情報を遊技者に通知する会員特定情報通知手段と、
前記会員特定情報を通知した遊技者が前記遊技場に会員登録を実施した旨を記憶するための会員登録者記憶手段と、
前記会員特定情報或いは前記会員特定情報から特定される会員識別情報と前記会員登録要求に含まれる会員属性情報とを含む会員登録情報を、前記会員管理装置に送信する登録情報送信手段と、
前記情報端末から会員特定情報を受付け、該受付けた会員特定情報の遊技者が、前記遊技場に会員登録を実施した旨が前記会員登録者記憶手段に記憶されていることを条件として、該情報端末から、当該遊技者が予約を所望する遊技機を個々に識別可能な遊技機識別情報を予約要求として受付ける予約要求受付手段と、
該予約要求受付手段にて受付けた予約要求に含まれる遊技機識別情報と、当該予約要求を行った遊技者の会員特定情報とを対応付けて予約情報として記憶する予約情報記憶手段と、を有する予約管理装置と、
を備え、
前記会員管理装置は、前記登録情報送信手段から送信される会員登録情報の受信に基づいて、該会員登録情報に含まれる前記会員識別情報或いは前記会員特定情報から特定される前記会員識別情報に対応付けて、当該会員登録情報に含まれる会員属性情報を前記会員情報記憶手段に記憶することを特徴とする遊技用システム。
【請求項２】
前記会員特定情報通知手段は、前記会員特定情報とともに、会員登録を実施した遊技場の遊技機の予約が可能である旨を含む案内情報を、前記会員登録要求を行った情報端末に送信することを特徴とする請求項１に記載の遊技用システム。
【請求項３】
前記予約管理装置は、前記予約情報記憶手段に記憶された予約情報を前記会員管理装置に送信する予約情報送信手段を有し、
前記会員管理装置は、該予約情報送信手段から受信した予約情報を記憶するための受信予約情報記憶手段を有することを特徴とする請求項１または２に記載の遊技用システム。
【請求項４】
前記登録要求受付手段は、会員登録を実施する遊技場の指定を受付け、
前記会員登録者記憶手段は、会員特定情報を通知した遊技者が、前記登録要求受付手段にて指定を受付けた遊技場に会員登録を実施した旨を記憶し、
前記予約要求受付手段は、受付けた会員特定情報の遊技者が会員登録を実施した旨が前記会員登録者記憶手段に記憶されている遊技場に設置されている遊技機のうち、遊技者が予約を所望する遊技機の遊技機識別情報を予約要求として受付け、
前記予約情報記憶手段は、該予約要求受付手段にて予約要求として受付けた遊技機識別情報の遊技機が設置された遊技場の遊技場特定情報を含む前記予約情報を記憶することを特徴とする請求項１〜３のいずれかに記載の遊技用システム。
【請求項５】
前記予約管理装置は、
前記情報端末から、前記会員特定情報並びに会員属性情報の変更内容を受付ける変更受付手段と、
該変更受付手段にて受付けた前記会員特定情報或いは前記会員特定情報から特定される前記会員識別情報と前記会員属性情報の変更内容とを含む変更情報を前記会員管理装置に送信する変更情報送信手段と、
を備え、
前記会員管理装置は、前記変更情報送信手段から送信される変更情報の受信に基づいて、該変更情報に含まれる前記会員識別情報或いは前記会員特定情報から特定される前記会員識別情報に対応して前記会員情報記憶手段に記憶されている会員属性情報を、該変更情報に含まれる会員属性情報の変更内容に応じて変更する会員属性情報変更手段を有することを特徴とする請求項１〜４のいずれかに記載の遊技用システム。
【請求項６】
遊技場に設置された遊技機を予約する遊技機予約サービスを、データ通信可能に接続された複数のコンピュータ端末から成るコンピュータネットワークに接続されたサーバコンピュータを用いて、アクセス利用者に対して提供する遊技機予約サービスの提供方法であって、
アクセス利用者から、前記遊技場の会員登録に必要な会員属性情報を含む会員登録要求を受付ける登録要求受付ステップと、
該登録要求受付ステップにて受付けた会員登録要求を行ったアクセス利用者に付与される前記遊技場の会員遊技者を個々に識別可能な会員識別情報を特定するための会員特定情報を決定する会員特定情報決定ステップと、
該会員特定情報決定ステップにて決定した会員特定情報を、前記会員登録要求を行ったアクセス利用者に返信することで通知する会員特定情報通知ステップと、
前記会員特定情報を通知したアクセス利用者が前記遊技場に会員登録を実施した旨を記憶するための会員登録者記憶ステップと、
前記会員特定情報と或いは前記会員特定情報から特定される会員識別情報と前記会員登録要求に含まれる会員属性情報とを含む会員登録情報を、前記遊技場に設置され、前記会員識別情報に対応付けて会員登録を実施した遊技者に関する会員属性情報を管理する会員管理装置に対して送信する登録情報送信ステップと、
前記アクセス利用者から会員特定情報を受付け、該受付けた会員特定情報のアクセス利用者が、前記遊技場に会員登録を実施した旨が前記会員登録者記憶ステップにおいて記憶されていることを条件として、該アクセス利用者から当該遊技者が予約を所望する遊技機を個々に識別可能な遊技機識別情報を予約要求として受付ける予約要求受付ステップと、
該予約要求受付ステップにて受付けた予約要求に含まれる遊技機識別情報と、当該予約要求を行ったアクセス利用者の会員特定情報とを対応付けて予約情報として記憶する予約情報記憶ステップと、
を含むことを特徴とする遊技機予約サービスの提供方法。
【請求項７】
前記会員特定情報通知ステップにおいては、前記会員登録情報とともに、会員登録を実施した遊技場の遊技機の予約が可能である旨を含む案内情報を、前記会員登録要求を行ったアクセス利用者に送信することを特徴とする請求項６に記載の遊技機予約サービスの提供方法。
【請求項８】
前記予約情報記憶ステップにて記憶した予約情報を前記会員管理装置に送信する予約情報送信ステップを含むことを特徴とする請求項６または７に記載の遊技機予約サービスの提供方法。
【請求項９】
前記登録要求受付ステップにおいては、会員登録を実施する遊技場の指定を受付け、
前記会員登録者記憶ステップにおいては、会員特定情報を通知したアクセス利用者が、前記登録要求受付ステップにて指定を受付けた遊技場に会員登録を実施した旨を記憶し、
前記予約要求受付ステップにおいては、受付けた会員特定情報のアクセス利用者が会員登録を実施した旨が前記会員登録者記憶ステップにて記憶されている遊技場に設置されている遊技機のうち、遊技者が予約を所望する遊技機の遊技機識別情報を予約要求として受付け、
前記予約情報記憶ステップにおいては、該予約要求受付ステップにおいて予約要求として受付けた遊技機識別情報の遊技機が設置された遊技場の遊技場特定情報を含む前記予約情報を記憶することを特徴とする請求項６〜８のいずれかに記載の遊技機予約サービスの提供方法。
【請求項１０】
前記アクセス利用者から、前記会員特定情報並びに会員属性情報の変更内容を受付ける変更受付ステップと、
該変更受付ステップにて受付けた前記会員特定情報或いは前記会員特定情報から特定される前記会員識別情報と前記会員属性情報の変更内容とを含む変更情報を前記会員管理装置に送信する変更情報送信ステップと、
を含むことを特徴とする請求項６〜９のいずれかに記載の遊技機予約サービスの提供方法。
【発明の詳細な説明】
【技術分野】
【０００１】
本発明は、遊技者が自宅のパソコンや携帯電話等の情報端末を用いて、遊技場に設置されている遊技機である台を予約することのできる遊技用システムおよび遊技機予約サービスの提供方法に関する。
【背景技術】
【０００２】
近年のインターネット等のコンピュータネットワークの普及に伴ない、遊技場に出向くことなく、自宅や出先から、パソコンや携帯電話を利用して遊技場に設置されている遊技機である台を予約することのできる遊技場用予約システムがある（例えば、特許文献１参照）。
【０００３】
【特許文献１】特開平８−１６４２６１号公報 （第１５頁、第６図）
【発明の開示】
【発明が解決しようとする課題】
【０００４】
これらの遊技場用予約システムにおいては、予約をする遊技機が設置されている遊技場の会員でなければ予約を行うことができず、これら遊技機の予約サービスを初めて利用しようとする遊技者は、予約をする遊技場まで、わざわざ出向いて会員登録を実施する必要があるため、これら遊技場に出向いて会員登録をしなければならない点が、遊技場用予約システムの利用者増を図る上での障害となっていた。
【０００５】
本発明は、このような問題点に着目してなされたもので、遊技機の予約サービスを初めて利用しようとする遊技者が、わざわざ予約をする遊技場まで出向いて会員登録することなく、遊技機の予約を実施することのできる遊技用システムおよび遊技機予約サービスの提供方法を提供することを目的としている。
【課題を解決するための手段】
【０００６】
上記の目的を解決するために、本発明の請求項１の遊技用管理装置は、
遊技場に設けられ、当該遊技場の会員登録をした会員遊技者を個々に識別可能な会員識別情報に対応付けて、当該会員遊技者に関する会員属性情報を記憶するための会員情報記憶手段を有する会員管理装置と、
通信回線網を介して接続された遊技者が操作可能な情報端末から、前記遊技場の会員登録に必要な会員属性情報を含む会員登録要求を受付ける登録要求受付手段と、
該登録要求受付手段にて受付けた会員登録要求を行った情報端末の操作者である遊技者に付与される前記会員識別情報を特定するための会員特定情報を決定する会員特定情報決定手段と、
該会員特定情報決定手段にて決定した会員特定情報を、前記会員登録要求を行った情報端末に返信することで該会員特定情報を遊技者に通知する会員特定情報通知手段と、
前記会員特定情報を通知した遊技者が前記遊技場に会員登録を実施した旨を記憶するための会員登録者記憶手段と、
前記会員特定情報或いは前記会員特定情報から特定される会員識別情報と前記会員登録要求に含まれる会員属性情報とを含む会員登録情報を、前記会員管理装置に送信する登録情報送信手段と、
前記情報端末から会員特定情報を受付け、該受付けた会員特定情報の遊技者が、前記遊技場に会員登録を実施した旨が前記会員登録者記憶手段に記憶されていることを条件として、該情報端末から、当該遊技者が予約を所望する遊技機を個々に識別可能な遊技機識別情報を予約要求として受付ける予約要求受付手段と、
該予約要求受付手段にて受付けた予約要求に含まれる遊技機識別情報と、当該予約要求を行った遊技者の会員特定情報とを対応付けて予約情報として記憶する予約情報記憶手段と、を有する予約管理装置と、
を備え、
前記会員管理装置は、前記登録情報送信手段から送信される会員登録情報の受信に基づいて、該会員登録情報に含まれる前記会員識別情報或いは前記会員特定情報から特定される前記会員識別情報に対応付けて、当該会員登録情報に含まれる会員属性情報を前記会員情報記憶手段に記憶することを特徴としている。
この特徴によれば、遊技機の予約を受付ける前記予約管理装置において、遊技者は予約をしたい遊技場の会員登録を行うことができるようになるため、遊技機の予約サービスを初めて利用しようとする遊技者が、わざわざ予約をする遊技場まで出向いて会員登録することなく、遊技機の予約を実施することができるようになり、これら遊技機の予約を可能とする遊技システムの利用者増を図ることができる。また、従来、新装開店時等には、会員登録および遊技機の予約を希望する遊技者が遊技場に殺到し、遊技場の店員の作業負担が著しく大きくなるとともに、遊技者も長時間待たされる等の不便があったが、これらの問題も大幅に解消することができる。
【０００７】
本発明の請求項２の遊技用管理装置は、請求項１に記載の遊技用システムであって、
前記会員特定情報通知手段は、前記会員特定情報とともに、会員登録を実施した遊技場の遊技機の予約が可能である旨を含む案内情報を、前記会員登録要求を行った情報端末に送信することを特徴としている。
この特徴によれば、会員登録が完了した遊技者に、遊技機の予約が可能となった旨を確実に認識させることができる。
【０００８】
本発明の請求項３の遊技用管理装置は、請求項１または２に記載の遊技用システムであって、
前記予約管理装置は、前記予約情報記憶手段に記憶された予約情報を前記会員管理装置に送信する予約情報送信手段を有し、
前記会員管理装置は、該予約情報送信手段から受信した予約情報を記憶するための受信予約情報記憶手段を有することを特徴としている。
この特徴によれば、遊技場に来店した遊技者が、予約を行った遊技者本人であるかの確認を遊技場が予約情報に基づいて実施する際に、これら予約情報を予約管理装置に問い合わせる場合に比較して、迅速に確認作業を実施できる。
【０００９】
本発明の請求項４の遊技用管理装置は、請求項１〜３のいずれかに記載の遊技用システムであって、
前記登録要求受付手段は、会員登録を実施する遊技場の指定を受付け、
前記会員登録者記憶手段は、会員特定情報を通知した遊技者が、前記登録要求受付手段にて指定を受付けた遊技場に会員登録を実施した旨を記憶し、
前記予約要求受付手段は、受付けた会員特定情報の遊技者が会員登録を実施した旨が前記会員登録者記憶手段に記憶されている遊技場に設置されている遊技機のうち、遊技者が予約を所望する遊技機の遊技機識別情報を予約要求として受付け、
前記予約情報記憶手段は、該予約要求受付手段にて予約要求として受付けた遊技機識別情報の遊技機が設置された遊技場の遊技場特定情報を含む前記予約情報を記憶することを特徴としている。
この特徴によれば、遊技者は複数の遊技場の会員登録を予約管理装置にて実施できるとともに、複数の遊技場に設置されている遊技機の中から予約する遊技機を選択できるため、遊技者の利便性を向上できる。
【００１０】
本発明の請求項５の遊技用管理装置は、請求項１〜４のいずれかに記載の遊技用システムであって、
前記予約管理装置は、
前記情報端末から、前記会員特定情報並びに会員属性情報の変更内容を受付ける変更受付手段と、
該変更受付手段にて受付けた前記会員特定情報或いは前記会員特定情報から特定される前記会員識別情報と前記会員属性情報の変更内容とを含む変更情報を前記会員管理装置に送信する変更情報送信手段と、
を備え、
前記会員管理装置は、前記変更情報送信手段から送信される変更情報の受信に基づいて、該変更情報に含まれる前記会員識別情報或いは前記会員特定情報から特定される前記会員識別情報に対応して前記会員情報記憶手段に記憶されている会員属性情報を、該変更情報に含まれる会員属性情報の変更内容に応じて変更する会員属性情報変更手段を有することを特徴としている。
この特徴によれば、予約管理装置において、遊技者から当該遊技者の会員属性情報の変更を直接受付けることができるようになるため、遊技場に設置された会員管理装置等にてこれら会員属性情報の変更内容を入力する手間を省くことができるとともに、入力ミスも低減でき、更には、これら変更のために遊技者は遊技場に出向く必要がなく、遊技者の利便性も高めることができる。
【００１１】
本発明の請求項６の遊技機予約サービスの提供方法は、
遊技場に設置された遊技機を予約する遊技機予約サービスを、データ通信可能に接続された複数のコンピュータ端末から成るコンピュータネットワークに接続されたサーバコンピュータを用いて、アクセス利用者に対して提供する遊技機予約サービスの提供方法であって、
アクセス利用者から、前記遊技場の会員登録に必要な会員属性情報を含む会員登録要求を受付ける登録要求受付ステップと、
該登録要求受付ステップにて受付けた会員登録要求を行ったアクセス利用者に付与される前記遊技場の会員遊技者を個々に識別可能な会員識別情報を特定するための会員特定情報を決定する会員特定情報決定ステップと、
該会員特定情報決定ステップにて決定した会員特定情報を、前記会員登録要求を行ったアクセス利用者に返信することで通知する会員特定情報通知ステップと、
前記会員特定情報を通知したアクセス利用者が前記遊技場に会員登録を実施した旨を記憶するための会員登録者記憶ステップと、
前記会員特定情報と或いは前記会員特定情報から特定される会員識別情報と前記会員登録要求に含まれる会員属性情報とを含む会員登録情報を、前記遊技場に設置され、前記会員識別情報に対応付けて会員登録を実施した遊技者に関する会員属性情報を管理する会員管理装置に対して送信する登録情報送信ステップと、
前記アクセス利用者から会員特定情報を受付け、該受付けた会員特定情報のアクセス利用者が、前記遊技場に会員登録を実施した旨が前記会員登録者記憶ステップにおいて記憶されていることを条件として、該アクセス利用者から当該遊技者が予約を所望する遊技機を個々に識別可能な遊技機識別情報を予約要求として受付ける予約要求受付ステップと、
該予約要求受付ステップにて受付けた予約要求に含まれる遊技機識別情報と、当該予約要求を行ったアクセス利用者の会員特定情報とを対応付けて予約情報として記憶する予約情報記憶ステップと、
を含むことを特徴としている。
この特徴によれば、遊技機の予約を受付ける予約サービスのサイトにおいて、遊技者は予約をしたい遊技場の会員登録を行うことができるようになるため、遊技機の予約サービスを初めて利用しようとする遊技者が、わざわざ予約をする遊技場まで出向いて会員登録することなく、遊技機の予約を実施することができるようになり、これら遊技機の予約サービスの利用者増を図ることができる。また、従来、新装開店時等には、会員登録および遊技機の予約を希望する遊技者が遊技場に殺到し、遊技場の店員の作業負担が著しく大きくなるとともに、遊技者も長時間待たされる等の不便があったが、これらの問題を解消するための解決策を遊技場に提供することもできる。
【００１２】
本発明の請求項７の遊技機予約サービスの提供方法は、請求項６に記載の遊技機予約サービスの提供方法であって、
前記会員特定情報通知ステップにおいては、前記会員登録情報とともに、会員登録を実施した遊技場の遊技機の予約が可能である旨を含む案内情報を、前記会員登録要求を行ったアクセス利用者に送信することを特徴としている。
この特徴によれば、会員登録が完了したアクセス利用者（遊技者）に、台予約が可能となった旨を確実に認識させることができる。
【００１３】
本発明の請求項８の遊技機予約サービスの提供方法は、請求項６または７に記載の遊技機予約サービスの提供方法であって、
前記予約情報記憶ステップにて記憶した予約情報を前記会員管理装置に送信する予約情報送信ステップを含むことを特徴としている。
この特徴によれば、遊技場に来店した遊技者が、予約を行った予約者（アクセス利用者）本人であるかの確認を遊技場が予約情報に基づいて実施する際に、これら予約情報をサーバコンピュータに問い合わせる場合に比較して、迅速に確認作業を実施できる。
【００１４】
本発明の請求項９の遊技機予約サービスの提供方法は、請求項６〜８のいずれかに記載の遊技機予約サービスの提供方法であって、
前記登録要求受付ステップにおいては、会員登録を実施する遊技場の指定を受付け、
前記会員登録者記憶ステップにおいては、会員特定情報を通知したアクセス利用者が、前記登録要求受付ステップにて指定を受付けた遊技場に会員登録を実施した旨を記憶し、
前記予約要求受付ステップにおいては、受付けた会員特定情報のアクセス利用者が会員登録を実施した旨が前記会員登録者記憶ステップにて記憶されている遊技場に設置されている遊技機のうち、遊技者が予約を所望する遊技機の遊技機識別情報を予約要求として受付け、
前記予約情報記憶ステップにおいては、該予約要求受付ステップにおいて予約要求として受付けた遊技機識別情報の遊技機が設置された遊技場の遊技場特定情報を含む前記予約情報を記憶することを特徴としている。
この特徴によれば、遊技者は複数の遊技場の会員登録を実施できるとともに、複数の遊技場に設置されている遊技機の中から予約する遊技機を選択できるため、遊技者の利便性を向上できる。
【００１５】
本発明の請求項１０の遊技機予約サービスの提供方法は、請求項６〜９のいずれかに記載の遊技機予約サービスの提供方法であって、
前記アクセス利用者から、前記会員特定情報並びに会員属性情報の変更内容とを受付ける変更受付ステップと、
該変更受付ステップにて受付けた前記会員特定情報或いは前記会員特定情報から特定される前記会員識別情報と前記会員属性情報の変更内容とを含む変更情報を前記会員管理装置に送信する変更情報送信ステップと、
を含むことを特徴としている。
この特徴によれば、予約サービスサイトにおいて、遊技者から当該遊技者の会員属性情報の変更を直接受付けることができるようになるため、遊技場に設置された会員管理装置等にてこれら会員属性情報の変更内容を入力する手間を省くことができるとともに、入力ミスも低減でき、更には、これら変更のために遊技者は遊技場に出向く必要がなく、遊技者の利便性も高めることができる。
【発明を実施するための最良の形態】
【００１６】
本発明の実施例を以下に説明する。
まず図１は、本発明の遊技用システム並びに遊技機予約サービスの提供方法が適用された本実施例の遊技用システムの構成を示す図であり、本実施例の遊技用システムは、図１に示すように、通信回線網としてのインターネット網に接続されたアクセス利用者である遊技者ａ、ｂ・・・の情報端末である携帯電話１６やノートパソコン１５等に接続され、予約受付センターに設置された予約管理装置を構成するサイトサーバ１４と、該サイトサーバ１４に接続され、予約受付センターに設置された予約管理装置を構成する管理サーバ１４０と、該管理サーバ１４０に通信回線１１を介して接続され、遊技場の会員登録をした遊技者に関する各種情報の管理等を行う各遊技場に設置された会員管理装置としての会員管理コンピュータ１２０と、該管理コンピュータ１２０に接続され、遊技場に設置された各遊技機であるパチンコ機２や各パチンコ機２に対応して設けられているカードユニット３に関する情報を収集、管理するホールコンピュータ１１０と、から主に構成されており、利用者ａ、ｂ・・・の情報端末である携帯電話１６やノートパソコン１５とサイトサーバ１４とは、インターネット網を介して双方にデータ送受可能に接続されている。
【００１７】
また、サイトサーバ１４は遊技機の予約の代価となる費用を決済するための決済サービス会社に設けられている決済サーバ１３に接続されており、サイトサーバ１４にて受付けた遊技機の予約費用の決済が該決済サーバ１３にて実施される。
【００１８】
また予約受付センターに設置されたサイトサーバ１４と管理サーバ１４０とは、ＬＡＮケーブルにより接続され双方に高速のデータ送受信を可能に構成されているとともに、管理サーバ１４０と各遊技場に設置された会員管理コンピュータ１２０とは、通信回線１１を介して双方にデータ送受可能とされている。
【００１９】
この本実施例において用いた遊技者の情報端末としての携帯電話１６は、インターネット接続機能を有するとともに、前記ノートパソコン１５は、カードスロットに装着されたモデムカード（図示略）を通じてインターネット網に接続可能とされていて、該インターネット網を介して前記サイトサーバ１４にアクセス可能とされており、該サイトサーバ１４から配信される各種ページにおいて、携帯電話１６に設けられたテンキーや十字キー等の入力部や、ノートパソコン１５に接続されたマウスやキーボード等の入力装置を操作することで、各種の入力や選択ならびに遊技機の予約を実施できるようになっている。
【００２０】
まず、本実施例に用いた会員管理装置である会員管理コンピュータ１２０と、ホールコンピュータ１１０の構成を、図２を用いて説明する。
【００２１】
本実施例に用いたホールコンピュータ１１０は、図２に示すように、コンピュータ内部にてデータの送受を行うデータバス１１１に、該ホールコンピュータ１１０が実施する各パチンコ機２における遊技に関連して発生する可変表示の始動回数や大当り回数や供給玉数や打込玉数やカードユニット３における使用度数等の遊技関連情報の収集処理や、これら収集した遊技関連情報を記憶する遊技関連情報管理データベースの更新処理等を行うＣＰＵ１０２、ワークメモリ等として使用されるＲＡＭ１０３、時刻情報やカレンダ情報を出力するＲＴＣ１０４、磁気ディスクや光磁気ディスクから成る記憶装置１０５、ファンクションメニュー等が独自に割り当てられた専用化されたキーボードである入力装置１０６、各種情報を表示出力する表示装置１０７、各種情報をプリント出力するプリンタ１０８、前記会員管理コンピュータ１２０とのデータ通信を行う通信部１０９、パチンコ機２における遊技関連情報を収集、送信する図示しない中継端末やカードユニット３との通信を行う通信インターフェイス（Ｉ／Ｆ）１０１が接続された通常のコンピュータであり、各中継端末から送信される遊技関連情報の受信に基づいて、前記記憶装置１０５の遊技関連情報管理データベースにおいて、各パチンコ機２を個々に識別可能な遊技機識別情報である台番号に対応付けて記憶されている遊技関連情報を更新することで、各パチンコ機２の遊技関連情報を管理するとともに、これら遊技関連情報管理データベースにて管理されている各パチンコ機２の遊技関連情報を、前記通信部１０９を通じて会員管理コンピュータ１２０に送信する。
【００２２】
このホールコンピュータ１１０に接続された本実施例の会員管理コンピュータ１２０は、図２に示すように、コンピュータ内部にてデータの送受を行うデータバス１２１に、該会員管理コンピュータ１２０が実施する会員の個人情報等の会員遊技者に関する会員関連情報を受付けて、該会員遊技者を個々に識別可能な会員識別情報である遊技場会員ＩＤに対応付けて記憶管理するとともに、後述の会員管理ＤＢの更新処理並びに予約対象台の抽出処理や予約台情報の送信処理等の各種処理を行うＣＰＵ１２２、ワークメモリ等として使用されるＲＡＭ１２３、時刻情報やカレンダ情報を出力するＲＴＣ１３１、磁気ディスクや光磁気ディスクから成る記憶装置１２４、新規会員に関する会員関連情報等の各種情報を入力するためのキーボードやマウス等の入力装置１２５、予約を可能とする台の抽出条件を設定するための予約台条件設定画面や翌日の予約対象予定台画面等の各種画面を表示出力するための表示装置１２６並びにプリンタ１２７、遊技場内に各パチンコ機２に対応して設置されたカードユニット３や該カードユニット３にて使用される会員カードやプリペイドカードの度数等の管理を行うシステムコントローラ（図示略）とのデータ通信を行う第１通信部１２８、前記ホールコンピュータ１１０とのデータ通信を行う第２通信部１２９、前記管理サーバ１４０とのデータ通信を行うデジタルサービスユニット（ＤＳＵ）１３０が接続された通常のコンピュータである。
【００２３】
この本実施例の会員管理コンピュータ１２０のＣＰＵ１２２は、管理サーバ１４０から送信されてくる後述する会員登録情報の受信に基づいて、該会員登録情報に含まれるサイトサーバ１４にて会員登録を申し込んだアクセス利用者（遊技者）に関する会員属性情報と会員特定情報であるサイト会員ＩＤとを、後述する会員情報テーブルに未発行として登録されている会員カードの会員ＩＤに対応付けて登録する会員属性情報登録処理を実施する。
【００２４】
また、本実施例の会員管理コンピュータ１２０のＣＰＵ１２２は、これら会員属性情報登録処理において対応付けられたサイト会員ＩＤと会員ＩＤとを管理サーバに返信する処理を行う。
【００２５】
この本実施例の会員管理コンピュータ１２０のＣＰＵ１２２は、管理サーバ１４０から送信されてくる後述する予約情報の受信に基づいて、該予約情報を後述する予約情報テーブルに記憶する予約情報記憶処理を実施する。
【００２６】
また、前記記憶装置１２４には、該会員管理コンピュータ１２０が処理を実施するための各種処理プログラムに加えて、図３に示す各種テーブルから成る会員管理データベース（ＤＢ）が記憶されている。
【００２７】
まず、会員管理データベースを構成する会員情報テーブルには、図３（ａ）に示すように、会員遊技者に発行された会員カードに記録された遊技場会員ＩＤ毎に、管理サーバ１４０から送信されてくる後述する会員登録情報の受信に基づいて前記会員属性情報登録処理において記憶され、当該会員遊技者を前記サイトサーバ１４による予約サイトにおいて識別するために使用されるサイト会員ＩＤや、遊技場における本人確認のための暗証番号と、その時点の貯蓄玉数、並びに当該会員カードを所持する会員遊技者の氏名（名字並びに名前）、性別、年齢、誕生日、職業、郵便番号、住所、電話番号、携帯電話番号等の個人情報や、交通手段、趣味、記念日、電子メールアドレス並びにダイレクトメールの送付の可否や、遊技場会員となってからの来店回数と、来店ポイントが記憶されており、これら貯蓄玉数や来店回数や来店ポイント等の各データが、来店によるカードユニット３への会員カードの挿入や図示しない玉計数器における貯玉の実施により逐次更新されることで、各会員遊技者に関する属性情報が管理されている。
【００２８】
このように、図３（ａ）に示す会員情報テーブルのサイト会員ＩＤの項目には、遊技場において遊技場会員登録を行っていない遊技者（アクセス利用者）が、後述する予約サイトにおいて当該遊技場を予約対象として当該遊技場の会員登録を実施した場合において、該遊技者（アクセス利用者）のサイト会員ＩＤが登録されるようになっており、これらサイト会員ＩＤの登録の有無により、当該会員遊技者が予約サイトの会員であるか否かを把握できるようになっている。また、後述する予約サイトにおいて当該遊技場の会員登録を実施した遊技者（アクセス利用者）で、まだ、遊技場の会員カードの発行を受けていない状況においては、例えば、会員ＩＤ「０１−０００ＸＸＹ」の登録状況に示すように、会員情報テーブルの遊技場会員ＩＤに対応している暗証番号や貯蓄玉数や来店回数や来店ポイントの項目は未登録のままとなっている。
【００２９】
また、会員管理データベースを構成する遊技関連情報テーブルには、図３（ｂ）に示すように、遊技機であるパチンコ機２を個々に識別可能な遊技機識別情報である台番号に対応付けて、該パチンコ機２の機種名と、パチンコ機２の可変表示器の総可変表示回数である総始動回数、パチンコ機２において発生した大当り回数である大当回数、パチンコ機２において確率変動状態が発生した回数である確変回数、該パチンコ機２に供給された総玉数である供給玉数、該パチンコ機２にて遊技に使用された総玉数である打込玉数、これら供給玉数と打込玉数の差に基づく遊技場側の差玉数、並びに各大当り間のスタート回数１，２・・・とが、ホールコンピュータ１１０から入手した遊技関連情報に基づいて更新されるようになっており、会員管理コンピュータ１２０において、各パチンコ機２の遊技関連情報を把握、管理できるようになっていて、これら遊技関連情報テーブルに記憶されている当該遊技場に設置されている各パチンコ機２の情報が管理サーバ１４０に送信されて、後述する管理サーバ１４０の遊技関連情報テーブルに反映されることで、管理サーバ１４０においても各遊技場に設置された遊技機である各パチンコ機２の遊技関連情報を把握できるようになっている。
【００３０】
尚、本実施例では、パチンコ機２が設置された遊技場の例を示しているが、本発明はこれに限定されるものではなく、遊技機としてパチンコ機２のみではなく、スロットマシン等も設置されている場合には、該スロットマシンにおけるビッグボーナス回数や出メダル数等を会員管理コンピュータ１２０において管理し、これらのスロットマシンの遊技関連情報を管理サーバ１４０に送信するようにしても良い。
【００３１】
また、会員管理データベースを構成する予約情報テーブルには、図３（ｃ）に示すように、サイトサーバ１４にて受付けられた当該遊技場に設置されているパチンコ機２への予約を含む予約情報が、営業開始前の所定時間において前記管理サーバ１４０から配信されることで記憶されており、該予約情報テーブルには、遊技場会員ＩＤとともに遊技者識別情報である予約サイトのサイト会員ＩＤとが、予約日と予約された遊技機であるパチンコ機２の台番号に対応付けて記憶されるようになっており、これら遊技場会員ＩＤやサイト会員ＩＤにより、予約者の本人確認が実施される。
【００３２】
次いで、本実施例に用いた管理サーバ１４０とサイトサーバ１４の構成を図４を用いて説明すると、サイトサーバ１４はコンピュ−タ内部にてデータの送受を行うデータバス１８１に、該サイトサーバ１４が実施する各種処理等を実施する中央演算処理装置（ＣＰＵ）１８２や、該ＣＰＵ１８２が行う処理に使用されるワークメモリ等として使用されるＲＡＭ１８３や、ＬＡＮケーブルを通じて管理サーバ１４０とのデータの送受信を行う第１の通信部１８８と、前記インターネット網に接続された遊技者の情報端末である携帯電話１６やノートパソコン１５とデータの送受信を行う第２通信部１８９と、磁気ディスクや光磁気ディスクから成り、前記ＣＰＵ１８２が実施する予約受付けや設定受付け等の各種処理を実施するための処理プログラムや、サイトを構築・運営するためのＨＴＭＬデータ等から成るＷＷＷ（ワールドワイドウェッブ）データ等の各種データが記憶された記憶装置１８４と、が接続された比較的高速の演算処理が可能なコンピュータとされている。
【００３３】
また、サイトサーバ１４の前記ＣＰＵ１８２は、インターネット網を介してサイトサーバ１４のＷＷＷ（ワールドワイドウェッブ）サイトにアクセスしてきたアクセス利用者（遊技者）のログインに対して行う認証処理や、各種ページの配信処理や、各登録遊技場の遊技機の予約を受付けるための処理等を実施するようになっている。
【００３４】
また前記処理において発生するデータや受付けた各種データは、管理サーバ１４０に送信されて各種テーブルの更新等が実施される。つまり、ＣＰＵ１８２は各種処理において必要な情報があった場合には管理サーバ１４０と協調して各種の処理を行う。
【００３５】
また、前記記憶装置１８４には、利用者並びに遊技場が使用する各情報端末のプラットホーム（オペレーションシステム）等に依存せずに、どのプラットホームにおいても相互に使用可能なＨＴＭＬ（ハイパーテキストマークアップラングエッジ）言語にて記述され、各プラットホームにおいて動作するブラウザソフトを用いて情報の閲覧、入力が実施できるホームページ形式のＷＷＷ（ワールドワイドウェッブ）データが記憶されており、これらＷＷＷ（ワールドワイドウェッブ）データと前記各種処理プログラムとが協調して、サイト内の各種処理を実施するようになっている。
【００３６】
また管理サーバ１４０はコンピュータ内部にてデータの送受を行うデータバス１４１に、モニタ等の表示装置１４６や、キーボードやマウス等の入力装置１４４や、該管理サーバ１４０が実施する各種処理等を実施する中央演算処理装置（ＣＰＵ）１４２や、該ＣＰＵ１４２が行う処理に使用されるワークメモリ等として使用されるＲＡＭ１４３や、時刻情報や任意の年月日、曜日等のカレンダ情報を出力可能なリアルタイムクロック（ＲＴＣ）１４７と、前記サイトサーバ１４の第１通信部１８８にＬＡＮケーブルで相互に接続とされてデータの送受信を行う通信部１４９と、通信回線１１を通じて各遊技場に設置された会員管理コンピュータ１２０とのデータの送受信を行うデジタルサービスユニット（ＤＳＵ）１４８と、磁気ディスクや光磁気ディスクから成り、前記ＣＰＵ１４２が実施する各種処理を実施するための処理プログラムに加えて、後述するサイト会員情報テーブル、サイト予約情報テーブル、遊技関連情報テーブル、予約対象台テーブル、告知情報テーブル、ランキングテーブル等の各種テーブル等が記憶された記憶装置１４５と、が接続された比較的高速の演算処理が可能なコンピュータとされている。
【００３７】
また、本実施例の管理サーバ１４０のＣＰＵ１４２は、各遊技場に設置された会員管理コンピュータ１２０から遊技関連情報の更新データを受付けて、後述する遊技関連情報テーブルを更新する更新処理や、会員管理コンピュータ１２０に翌日の予約台に関する予約情報の送信要求を送信して翌日の予約情報を収集する予約情報収集処理や、アクセス利用者である遊技者からサイトサーバ１４にて受付けた会員登録に必要な会員属性情報と当該アクセス利用者である遊技者に発行されたサイト会員ＩＤとを含む会員登録情報を、会員登録の希望先である遊技場に設置された会員管理コンピュータ１２０に送信する会員登録情報送信処理や、該会員登録情報の送信に基づいて当該遊技場の会員管理コンピュータ１２０から返信される遊技場会員ＩＤをサイト会員情報テーブルに、前記送信した会員登録情報に含まれるサイト会員ＩＤに対応付けて登録する処理や、サイトサーバ１４へのアクセス利用者の認証処理や、遊技機の予約に際して、該予約希望の遊技機への予約をサイトサーバ１４にて受付けるか否かを、後述する予約対象台テーブルに記憶されている予約受付時間や予約対象者条件に基づいて判定する判定処理や、該サイトサーバ１４にて予約を受付けた遊技機の台番号と予約者のサイト会員ＩＤと予約日等の情報を後述するサイト予約情報テーブルに記憶する予約登録処理や、該サイト予約情報テーブルに記憶されている予約情報を、各遊技場の会員管理コンピュータ１２０に送信する予約情報送信処理を実施する。
【００３８】
本実施例におけるサイト会員情報テーブルには、図５（ａ）に示すように、各サイト会員を個々に識別可能とするためのサイト会員ＩＤに対応付けて、サイトサーバ１４による予約サイトへのログイン時に本人確認を実施するためのパスワードと、当該サイト会員の氏名（名字並びに名前）、性別、生年月日、職業、郵便番号、住所、電話番号、携帯電話番号等の個人情報や、交通手段、趣味、記念日、電子メールアドレス並びにダイレクトメールの送付の可否等からなる会員遊技者の属性情報と、当該サイト会員が遊技機を予約するために会員となった遊技場を個々に特定可能な遊技場特定情報である遊技場ＩＤ（本実施例では最大５つ）と、前記会員登録情報の送信に基づいて各遊技場の会員管理コンピュータ１２０から返信されてくることにより記憶される各遊技場における当該サイト会員の遊技場会員ＩＤと、各遊技場において遊技場会員となってからの各遊技場における来店回数と、来店ポイントとが記憶されており、これらの記憶情報の内、来店回数や来店ポイントの情報は、当該会員となっている遊技場に設置されている前記会員管理コンピュータ１２０から定期的（１日に１回）に送られてくる更新情報に基づいて更新されるようになっている。
【００３９】
また、本実施例におけるサイト予約情報テーブルには、図５（ｂ）に示すように、予約サイトを構成するサイトサーバ１４にてアクセス利用者である遊技者から受付けた予約内容である、予約日と、予約された遊技機の遊技機識別情報である台番号と、該遊技機が設置されている遊技場の遊技場ＩＤと、予約を実施したサイト会員のサイト会員ＩＤと、当該サイト会員が予約を実施した遊技場における遊技場会員ＩＤとが対応付けて記憶されるようになっており、該サイト予約情報テーブルの記憶内容に基づいて、予約の受付けに際して、予約要求された遊技機が既に予約されていないかが確認されるとともに、営業日前の所定時間において、当日の日付と各遊技場の遊技場ＩＤとに対応して登録されている予約が各遊技場毎に全て抽出され、該抽出された予約情報が各遊技場に設置された会員管理コンピュータ１２０に配信されるようになっている。つまり、このようにして管理サーバ１４０が、後述する予約情報記憶ステップにてサイト予約情報テーブルに記憶される予約情報を前記会員管理装置である会員管理コンピュータ１２０に送信することで予約情報送信ステップが形成されている。
【００４０】
また、本実施例における遊技関連情報テーブルには、図６（ａ）に示すように、各遊技場の遊技場ＩＤに対応付けて、各遊技場の遊技場名（店舗名）と当該遊技場が属している地域コード（本実施例では郵便番号を利用）や、各遊技場に設置されている全ての遊技機（パチンコ機２とスロットマシンを含む）の遊技機識別情報である台番号が記憶されており、更に、これら記憶された各台番号に対応付けて、当該遊技機の機種名と始動回数、大当り回数、確変回数、供給玉数、打込玉数、差玉数（出玉数）、各大当り間のスタート回数１，２・・・とから成る遊技関連情報が、前日から７日前までの１週間分に亘り記憶されていて、これら各遊技機場の遊技機の遊技関連情報は、前記会員管理コンピュータ１２０から定期的に送信される更新データにより更新される。
【００４１】
また、本実施例における予約対象台テーブルには、図６（ｂ）に示すように、各遊技場の遊技場ＩＤに対応付けて、当該遊技場の遊技場名や、各予約日において予約対象とする台の台番号が記憶される予約対象台番号や、当該台番号の遊技機の予約を実施することのできる予約者の条件が記憶される予約対象条件や、当該台番号の遊技機の予約を受付ける期間が記憶される予約受付期間や、該予約受付期間中において予約の受付けを実施する時間帯が記憶される予約受付時間帯とが記憶されるようになっており、各遊技場に設置されている会員管理コンピュータ１２０の後述する予約設定入力画面（図１６参照）において予約を可能とする台を設定することで、該設定内容を含む予約台条件設定情報が管理サーバ１４０に送信され、該設定された予約可能台の設定内容が該予約対象台テーブルに記憶されるとともに、会員管理コンピュータ１２０から送信される後述する予約対象情報から特定される翌日を予約対象日とする遊技機の情報が該予約対象台テーブルに記憶されるようになっている。
【００４２】
次に、これら管理サーバ１４０に記憶されている各テーブルの記憶データの記憶や更新がなされる流れについて、以下に説明する。
【００４３】
まず、図５（ａ）に示すサイト会員情報テーブルへの登録（記憶）が実施される流れを、図７に基づいて説明すると、これら会員情報テーブルへの登録（記憶）はサイト会員への会員登録により実施されるようになっており、前記サイトサーバ１４による予約サイトの後述するＴＯＰページ（図８参照）における「会員登録」を、アクセス利用者が選択入力することによりアクセス利用者の情報端末である、例えば携帯電話１６に個人情報入力ページ（図９参照）が配信されて表示され、個人情報入力ページ（図９参照）にて個人情報である氏名、生年月日、性別、メールアドレス、郵便番号、住所、電話番号、…等から成る個人情報と、当該アクセス利用者である会員が遊技場会員である場合において該遊技場の会員ＩＤを受付けるサイト会員登録受付けが実施される。尚、本実施例では、予約サイトにおける予約サービスを利用する場合には、予約する遊技機が設置されている遊技場の会員となる必要があるために、後述する図８（ｇ）に示す店舗一覧が表示された店舗一覧ページが配信されて遊技場の選択を受付け、これらサイト会員登録への申し込みと選択された遊技場の会員登録への申し込みとが同時に受付けされる。
【００４４】
また、本実施例では前述のように、個人情報入力ページ（図９参照）に会員ＩＤの入力項目を設けて、既に遊技場の会員となっているアクセス利用者のサイト会員への登録も受付けるようになっている。
【００４５】
このようにして、サイトサーバ１４が新規サイト会員登録者より店舗一覧ページ（図８（ｇ）参照）にて指定を受付けた遊技場の遊技場名と、個人情報入力ページにて受付けた氏名、生年月日、性別、メールアドレス、郵便番号、住所、電話番号、…から成る入力情報（個人情報）、遊技場会員ＩＤ（入力がある場合のみ）を含む新規登録情報が管理サーバ１４０に送信されることに基づいて、管理サーバ１４０は、遊技場会員ＩＤの送信があるか否かを特定し、遊技場会員ＩＤの送信がない場合には、新規にサイト会員ＩＤとパスワードを生成してサイトサーバ１４に返信し、該返信されたサイト会員ＩＤとパスワードが、ログインページのＵＲＬとともに受付けた電子メールアドレスに対して電子メールにて送信されることで、該電子メールを受信したアクセス利用者である遊技者は、サイトサーバ１４から送信されてきた該電子メールにて通知されたログインページのＵＲＬにアクセスして通知されたサイト会員ＩＤとパスワードを用いて遊技機の予約を実施できるようになる。つまりは、このようにして管理サーバ１４０が、サイトサーバ１４を介してアクセス利用者から、遊技場の会員登録に必要な会員属性情報となる入力情報（個人情報）を含む会員登録要求となる前記新規登録情報を受付ける（受信する）ことで登録要求受付ステップが形成され、該登録要求受付ステップにて受付けた会員登録要求を行ったアクセス利用者に付与される前記遊技場の会員遊技者を個々に識別可能な会員識別情報である遊技場会員ＩＤを特定するための会員特定情報であるサイト会員ＩＤを決定する（生成する）ことで会員特定情報決定ステップが形成され、該会員特定情報決定ステップにて決定した会員特定情報であるサイト会員ＩＤを、前記会員登録要求を行ったアクセス利用者に前記電子メールに含まれる形態にて返信することで通知する会員特定情報通知ステップが形成されており、該会員特定情報通知ステップにおいては、後述するように、前記会員登録情報であるサイト会員ＩＤとともに、会員登録を実施した遊技場の遊技機の予約が可能である旨を含む案内情報を、会員登録要求を行ったアクセス利用者に送信する。
【００４６】
また、管理サーバ１４０は、該生成したサイト会員ＩＤと、パスワードと、受信した遊技場名から特定される遊技場ＩＤと、サイトサーバ１４から受信した入力情報（個人情報）を対応付けてサイト会員情報テーブルに記憶することで、前記電子メールにて会員特定情報であるサイト会員ＩＤを通知した遊技者である新規サイト会員登録者が選択した遊技場に会員登録を実施した旨が記憶されことにより会員登録者記憶ステップが形成される。また、本実施例では前述したように、管理サーバ１４０が、前述の登録要求受付ステップにおいて会員登録を実施する遊技場の指定を受付けるとともに、前述の会員登録者記憶ステップにおいては、会員特定情報であるサイト会員ＩＤを電子メールにて通知したアクセス利用者が、前述の登録要求受付ステップにて指定を受付けた遊技場に会員登録を実施した旨が、前記指定された遊技場の遊技場ＩＤがサイト会員ＩＤに対応付けてサイト会員情報テーブルに記憶されることにより記憶される。尚、このときサイト会員ＩＤに対応付けられて設けられているサイト会員情報テーブルの遊技場会員ＩＤの項目は、未登録のままにしておく。
【００４７】
一方、サイトサーバ１４からの遊技場会員ＩＤの送信がある場合には、遊技場会員ＩＤの送信がない場合と同様に、管理サーバ１４０は、新規にサイト会員ＩＤとパスワードを生成して、該生成したサイト会員ＩＤと、パスワードと、サイトサーバ１４から受信した入力情報（個人情報）と、遊技場ＩＤとを対応付けてサイト会員情報テーブルに登録（記憶）し、サイト会員ＩＤに対応付けられているサイト会員情報テーブルの遊技場会員ＩＤの項目は、未登録のままにしておくが、これら生成したサイト会員ＩＤとパスワードとをサイトサーバ１４に返信することを留保することで、不正規な遊技場会員ＩＤを適当に入力して遊技場会員になりすました遊技者（アクセス利用者）に、不用意にサイト会員ＩＤとパスワードとログインページのＵＲＬとを含む電子メールが送信されて、遊技機の予約が実施されないようになっている。
【００４８】
次いで、この遊技場ＩＤと遊技場会員ＩＤとが新規にサイト会員情報テーブルに登録（記憶）された場合には、当該新規登録された遊技場ＩＤにより特定される遊技場に設置されている会員管理コンピュータ１２０に対して、サイト会員ＩＤと、入力情報である会員属性情報と、入力が有る場合には遊技場会員ＩＤとを含む会員登録情報を送信する。つまりは、このようにして管理サーバ１４０が、前記会員特定情報であるサイト会員ＩＤと前記会員登録要求に含まれる会員属性情報とを含む会員登録情報を、前記遊技場に設置され、前記会員識別情報である遊技場会員ＩＤに対応付けて会員登録を実施した遊技者に関する情報を管理する会員管理装置である会員管理コンピュータ１２０に対して送信することで登録情報送信ステップが形成されている。
【００４９】
この会員登録情報を受信した会員管理コンピュータ１２０は、該受信した会員登録情報に遊技場会員ＩＤが含まれるか否かを判定する。該判定において、遊技場会員ＩＤが受信した会員登録情報に含まれていない場合には、受信した会員登録情報に含まれるサイト会員ＩＤと会員属性情報とを、会員情報テーブルにおいて、遊技場会員ＩＤのみが登録されていることから未発行であると特定される未発行の会員カードの遊技場会員ＩＤに対応付けて登録（記憶）する。その後、受信したサイト会員ＩＤと該サイト会員ＩＤに対応付けられた遊技場会員ＩＤとを遊技場ＩＤとともに管理サーバ１４０に返信する。
【００５０】
サイト会員ＩＤと遊技場会員ＩＤと遊技場ＩＤを受信した管理サーバ１４０は、受信した遊技場会員ＩＤをサイト会員ＩＤに対応してサイト会員情報テーブルに登録（記憶）されている遊技場ＩＤに対応付けて登録（記憶）する。つまり、前述において未登録のままにしておかれた遊技場会員ＩＤへの登録が実施される。
【００５１】
前記会員登録情報に遊技場会員ＩＤが含まれるか否かを判定において、遊技場会員ＩＤが会員登録情報に含まれている場合には、受信した会員登録情報に含まれる遊技場会員ＩＤが、会員情報テーブルに登録（記憶）されているか否かを確認し、該受信した遊技場会員ＩＤが正規のものであるか、つまり当該遊技場会員ＩＤを入力したアクセス利用者（遊技者）が当該遊技場の正規の会員であるか否かを確認する。
【００５２】
そして、該遊技場会員ＩＤが登録されている場合には、該遊技場会員ＩＤに対応するサイト会員ＩＤの項目に受信したサイト会員ＩＤを登録（記憶）する。また前記会員登録情報に会員属性情報が含まれていれば、該会員登録情報に含まれる会員属性情報に基づいて、遊技場会員ＩＤに対応する遊技場会員の会員属性情報を更新する。その後、管理サーバ１４０に対して、遊技場会員ＩＤの登録が存在する旨と、サイト会員ＩＤと遊技場会員ＩＤと遊技場ＩＤとを含む確認結果情報を返信する。
【００５３】
一方、該遊技場会員ＩＤが登録されていない場合には、受信した会員登録情報に含まれるサイト会員ＩＤや会員属性情報の登録（記憶）を実施せずに、遊技場会員ＩＤの登録が存在しない旨と、サイト会員ＩＤと遊技場会員ＩＤと遊技場ＩＤとを含む確認結果情報を返信する。
【００５４】
確認情報を受信した管理サーバ１４０は、該確認結果情報により遊技場会員ＩＤが存在すると確認された場合には、受信した遊技場会員ＩＤをサイト会員ＩＤに対応してサイト会員情報テーブルに登録されている遊技場ＩＤに対応付けて登録する。その後、対応するサイト会員ＩＤとパスワードをサイトサーバ１４に送信する。サイトサーバ１４に返信されたサイト会員ＩＤとパスワードは、ログインページのＵＲＬとともに受付けた電子メールアドレスに対して電子メールにて送信されることで、該電子メールを受信した遊技者（アクセス利用者）が、予約サイトにログインして遊技機の予約を実施できるようになる。つまり、遊技場会員ＩＤが入力された場合には、当該入力された遊技場会員ＩＤが正規な会員のものか否かが確認された上で、遊技機の予約が可能となるようになっている。
【００５５】
一方、前記受信した確認結果情報により遊技場会員ＩＤが存在しないと確認された場合には、当該確認結果情報に含まれるサイト会員ＩＤに対応付けてサイト会員情報テーブルに登録されている電子メールアドレスに対して、遊技場会員ＩＤの不一致により会員登録が未完了であることを通知した後、当該サイト会員ＩＤに対応付けてサイト会員情報テーブルに登録されている登録が削除されるようになっている。
【００５６】
また、本実施例の会員管理コンピュータ１２０は、前述のように、管理サーバ１４０におけるサイト会員情報テーブルの記憶内容を更新するために、本実施例では一日に１回、前記会員情報テーブルにおいて各サイト会員ＩＤに対応付けて記憶されている来店ポイント（Ｐｔ．）や来店回数等を含む会員属性情報と当該遊技場会員ＩＤと遊技場ＩＤとから成る更新データを管理サーバ１４０に対して送信することで、該更新データを受信した管理サーバ１４０が、受信した更新データに基づいてサイト会員情報テーブルを更新することにより、新規に遊技場会員ＩＤがサイト会員情報テーブルに登録された遊技者をはじめとする各遊技者の来店ポイント（Ｐｔ．）や来店回数等を含む各会員属性情報が最新のデータに更新、管理される。
【００５７】
遊技場に設置された会員管理コンピュータ１２０は、前述のように、該会員管理コンピュータ１２０に通信接続されたホールコンピュータ１１０から当該遊技場に設置されている各遊技機（パチンコ機２やスロットマシン）の遊技関連情報を、比較的高頻度となる所定時間毎に入手して図３（ｂ）に示す遊技関連情報テーブルを更新する。
【００５８】
この遊技関連情報テーブルには、図３（ｂ）に示すように、遊技機であるパチンコ機２を個々に識別可能な遊技機識別情報である台番号に対応付けて、該パチンコ機２の機種名が記憶される機種名の項目とともに、パチンコ機２の可変表示器の総可変表示回数である始動回数、パチンコ機２において発生した大当り回数である大当り回数、パチンコ機２において確率変動状態が発生した回数である確変回数、該パチンコ機２に供給された総玉数である供給玉数、該パチンコ機２にて遊技に使用された総玉数である打込玉数、これら供給玉数と打込玉数の差に基づく遊技場側の差玉数、並びに各大当り間のスタート回数１，２・・・とが、ホールコンピュータ１１０から送信されてくる遊技情報データに基づいて更新されるようになっており、会員管理コンピュータ１２０において、各パチンコ機２の遊技関連情報を把握、管理できるようになっている。
【００５９】
このようにして更新されることで管理されている遊技機（パチンコ機２やスロットマシン）毎の遊技関連情報は、比較的低頻度となる所定時間毎に、該遊技関連情報テーブルに記憶されている各遊技機の遊技関連情報が、対応する台番号並びに遊技場ＩＤを含む更新データとともに管理サーバ１４０に送信されることで、該更新データを受信した（入力された）管理サーバ１４０が、受信した更新データに含まれる遊技場ＩＤと台番号とに対応して図６（ａ）の遊技関連情報テーブルに記憶されている遊技関連情報を更新することで、各遊技場に設置されている全ての遊技機（パチンコ機２やパチスロ）の遊技関連情報、つまりは予約可能な遊技機だけではなく、予約可能ではない遊技機の遊技関連情報も含めて管理されるようになっている。尚、図６（ａ）には、パチンコ機に対応する遊技関連情報のメニュー内容を示したが、該遊技関連情報テーブルにはスロットマシンに対応する遊技関連情報のメニュー（例えば、ビッグボーナス回数や出メダル数等）も図示しないが設けられている。
【００６０】
次いで、本実施例における管理サーバ１４０の予約対象台テーブルに、予約対象とする遊技機の情報が登録（記憶）される流れについて以下に説明する。まず、本実施例の会員管理コンピュータ１２０において、表示装置１２６に表示されている表示画面上に表示された「設定」のメニュータブを選択し、画面右部に表示されるサブメニュー表示領域に表示されている「予約台抽出条件」のサブメニューを選択することで、図１４に示す予約台抽出条件を設定するための予約台抽出条件設定画面が表示されるようになっており、該予約台抽出条件設定画面において予約対象とする遊技機を抽出するための予約台抽出条件を予め設定しておくことで、該設定された予約台抽出条件を満たす遊技機（の台番号）が抽出されて、その翌日の予約対象台として管理サーバ１４０に送信される。
【００６１】
この本実施例の予約台抽出条件設定画面には、図１４に示すように、画面上方に既に設定されている予約台抽出条件の設定内容が表示される画面上方の設定内容表示エリアと、既存の予約台抽出条件の変更、新規予約台抽出条件の設定を実施するための画面下方の予約台抽出条件設定入力エリアとが設けられている。また画面下方に設けられている機能ボタン域には、「対象予定台」、「新規作成」、「変更」、「削除」、「登録」の各機能メニューが表示されている。
【００６２】
この機能ボタン域に表示されている「新規作成」を選択入力し、予約台抽出条件設定入力エリアにおいて、新規に設定する予約台抽出条件を適用して予約対象とする遊技機の抽出を実施する適用期間と、当該適用期間において予約対象台として抽出する遊技機の条件である予約台抽出条件と、予約対象とする上限台数と、当該予約対象とする遊技機の予約を可能とする遊技者の条件である予約対象者条件と、当該予約対象とする遊技機の予約受付けを前記サイトサーバ１４にて開始する時間である予約受付開始時間と、を各項目のポップアップメニューから選択して表示させた後、前記機能ボタン域に表示されている「登録」の機能メニューを選択入力することで、該設定した内容が図示しない予約台条件テーブルに登録（記憶）されることで設定内容表示エリアに表示される。
【００６３】
この予約台抽出条件設定入力エリアにおける予約台抽出条件においては、図１４の予約台抽出条件設定入力エリアにおいて表示されているように、確変回数が１０回以上とする設定例以外に、図１４の設定内容表示エリアに表示されている設定例に示すように、大当り回数１０回以上や、出玉上位１０台や、ＣＲ○○△△のように、遊技関連情報に関する条件をはじめ、遊技機の機種を条件としても設定できるようになっている。
【００６４】
また、本実施例の予約対象者条件においては、図１４の予約台抽出条件設定入力エリアにおいて表示されているように、当該遊技場の遊技場会員が予約対象の遊技機を予約できるようにするための「全会員」の選択メニューが設けられている他、図１４の設定内容表示エリアに表示されている設定例に示すように、来店ポイントが５０Ｐ以上のように、当該遊技場の遊技場会員であって且つ来店ポイントが所定値以上の遊技場会員のみが予約できるようにするための来店ポイントに関する選択メニューや、当該遊技場の遊技場会員であって且つ来店回数が所定回数以上の遊技場会員のみが予約できるようにするための来店回数に関する選択メニューに加えて、遊技場会員に拘わらず女性であれば予約できるようにするための「女性」等の性別や職業や年齢に関する選択メニューが選択可能とされている。
【００６５】
また、設定内容表示エリアに表示されている予約台抽出条件を選択して指定し、機能ボタン域の「変更」の機能メニューを選択入力すると設定内容表示エリアには既に登録（記憶）されている予約台抽出条件の内容が表示され、該設定内容表示エリアにおいて、予約台抽出条件の内容を変更入力した後、「登録」の機能メニューを選択入力することで、変更した予約台抽出条件の内容に予約台抽出条件テーブルの記憶内容が更新されるとともに、設定内容表示エリアに表示されている予約台抽出条件の内容が更新表示される。
【００６６】
また、設定内容表示エリアに表示された任意の予約台抽出条件を選択して指定し、機能ボタン域の「削除」の機能メニューを選択入力することで、予約台抽出条件テーブルから選択された予約台抽出条件のデータが削除されるとともに、当該予約台条件の設定内容表示エリアにおける表示が消去される。
【００６７】
また、機能ボタン域の「対象予定台」の機能メニューを選択入力した場合には、その当日が適用期間に該当する予約台抽出条件に基づいて予約対象台の候補として抽出された遊技機の一覧が表示されるようになっており、その時点において予約対象台の候補がどのような状況になっているかを簡便に確認できるようになっている。
【００６８】
また、本実施例では、図１４に示すように、「設定」のメニュータブを選択した場合に表示されるサブメニュー表示領域に、「予約設定確認」のサブメニューが設けられており、該「予約設定確認」のサブメニューを選択することで、図１５に示すように、前記管理サーバ１４０の予約対象テーブルに当該遊技場の遊技場ＩＤに対応して記憶されている予約設定の設定内容が一覧表示されるようになっており、新たに前記予約台条件の設定を実施する際に、既に管理サーバ１４０において既に設定されている予約設定の設定内容を確認して予約台条件の設定を実施できるようになっている。
【００６９】
この予約設定確認の画面について詳述すると、図１５に示すように、予約対象テーブルの構成と同様に、予約日に対応付けて、予約対象台番号、予約対象条件、予約対象期間、予約時間帯が一覧表示されるようになっており、既に管理サーバ１４０において登録されている予約設定のそれぞれの内容を、比較して把握しながら、新たに設定する予約可能とする条件の検討を簡便に実施できるようになっている。
【００７０】
また、画面下方に設けられている機能ボタン域には、「新規作成」、「印刷」、「変更」、「削除」の各機能メニューが表示されており、一覧表示された予約台設定から削除または変更したい設定内容を選択した後に、「変更」または「削除」を選択入力することで、当該選択した設定内容の変更や削除を実施できるとともに、新たに予約台設定を実施したい場合には、「新規作成」を選択することで、図１６に示す予約設定入力画面が表示されることで、新たに予約台設定を実施することができる。尚、「印刷」を選択入力した場合には、当該予約設定確認の画面が印刷出力される。
【００７１】
次に、「新規作成」を選択することで表示される予約設定入力画面においては、新たに予約対象となる遊技機を設定できるようになっており、該予約設定入力画面における設定内容が予約対象台として管理サーバ１４０に送信されて、前記予約対象台テーブルに登録される。
【００７２】
この予約設定入力画面には、図１６に示すように、既存の予約台設定の変更、新規予約台設定を実施するための予約設定入力エリアが画面中央に設けられており、該予約設定入力エリア内には、「設定の適用期間」、「予約期間」、「予約時間帯」、「台番号」、「予約対象条件」の各入力部が設けられている。尚、画面下方に設けられている機能ボタン域には、「設定」、「印刷」の機能メニューが表示されている。
【００７３】
この予約設定入力エリアにおいては、予約可能台に関する設定内容として、前記「設定の適用期間」の項目には、予約日とする期間を入力し、前記「予約期間」の項目には、予約の受付けを行う期間を入力し、前記「予約時間帯」の項目には、予約の受付けを行う時間帯を入力し、前記「台番号」の項目には、予約を可能とする遊技機の台番号を入力し、前記「予約対象条件」の項目には、予約を可能とする遊技者（アクセス利用者）の条件を入力した後、「設定」の機能メニューを選択入力することで、該予約可能台の設定画面において受付けられた、これら「設定の適用期間」、「予約期間」、「予約時間帯」、「台番号」、「予約対象条件」の各情報と、当該遊技場の遊技場ＩＤとが会員管理コンピュータ１２０から管理サーバ１４０に送信されることで、管理サーバ１４０の前記予約対象台テーブルにおいて、会員管理コンピュータ１２０から送信されてきた遊技場ＩＤに対応付けて「設定の適用期間」の情報が予約日に、「台番号」の情報が「予約対象台番号」に、「予約対象条件」の情報が「予約対象条件」に、「予約期間」の情報が「予約受付期間」に、「予約時間帯」の情報が「予約受付時間帯」に、それぞれ登録（記憶）され、これら登録（記憶）された内容に基づいた予約の受付けが実施されるようになる。また、「印刷」を選択入力した場合には、当該予約設定入力画面が印刷出力される。
【００７４】
このように、本実施例の会員管理コンピュータ１２０における前記予約台抽出条件設定画面や、予約設定確認画面や、予約設定入力画面において、当該遊技場に設置されている遊技機の内、予約可能とする予約可能台の設定、管理を行うことができるようになっている。
【００７５】
以下、本実施例の管理サーバ１４０並びにサイトサーバ１４により構築される予約サイトの内容について、図８から図１２に基づいて説明する。尚、本実施例では予約者である遊技者は、ノートパソコン１５や携帯電話１６等のインターネットに接続できる情報端末からサイトサーバ１４にアクセスできるが、以下の説明においては、携帯電話１６を用いて予約者である遊技者がアクセスする場合を例に説明する。
【００７６】
まず、予約者である遊技者が携帯電話１６を用いてサイトサーバ１４による予約サイトにアクセスした際には、図８（ａ）に示すＴＯＰページが携帯電話１６に配信されて表示される。
【００７７】
この本実施例のＴＯＰページには、「会員の方はこちら」、「このページについて」、「全国登録店舗検索」、「会員登録」、「会員規約」、「新着情報」、「お問い合わせ」、「ブックマーク登録」などのメニュー項目が設けられており、これらのメニューからアクセス利用者は所望するメニューを選択することで、これらのメニューにリンクされた予約サイト内の各ページが、サイトサーバ１４の記憶装置１８４の処理プログラムに基づいて配信されるようになっている。
【００７８】
このＴＯＰページにおいて、「新着情報」の項目をアクセス利用者が選択すると、サイトサーバ１４から予約受付会社が宣伝広告やアクセス利用者に対してお知らせしたい情報などが記載されたページが配信されるようになっている。
【００７９】
この本実施例の予約サイトにて提供される遊技機予約（台予約）サービスを利用する場合には、予約の実施を希望する遊技場への会員登録を含むサイト会員の登録を予め実施する必要があり、既にサイト会員の登録をしているアクセス利用者は、「会員の方はこちら」のメニューを選択して予約サイトにログインして遊技機の予約を実施できるが、サイト会員に未登録のアクセス利用者は、「会員登録」のメニュー項目を選択して会員登録を実施する。
【００８０】
この「会員登録」のメニュー項目をアクセス利用者が選択すると、図８（ｂ）に示す会員規約に同意するか否かの確認ページが配信される。この図８（ｂ）に示す確認ページには、「会員規約に同意する」、「規約はこちら」、「戻る」の選択項目が設けられており、該図８（ｂ）の確認ページにおいて、「規約に同意する」の項目を選択すると、図８（ｄ）に示す会員登録のページが配信され、「規約はこちら」の項目を選択すると、図８（ｃ）に示す会員規約が記載されたページが配信される。
【００８１】
この図８（ｂ）に示す確認ページにおいて「規約はこちら」の項目を選択すると、アクセス利用者が遊技機予約（台予約）サービスを受けるときの注意事項等を記載した図８（ｃ）の会員規約のページが配信されるので、遊技者は会員規約の内容を把握できるようになっている。サイト登録を行うためには、会員規約に同意しなければならないので、図８（ｂ）の確認のページにおいて、「会員規約に同意する」の項目を選択した場合においてのみ、遊技者が会員登録を行うための図８（ｄ）に示す会員登録ページが配信される。
【００８２】
また、図８（ｂ）に示す確認のページにおいて、「戻る」の項目を選択すると、１つ前の表示画面（ページ）である図８（ａ）のＴＯＰページが再び表示される。この「戻る」の選択項目は、本実施例の予約サイトのほぼ全ての配信ページに設けられており、何れのページにおいても、これら「戻る」の項目を選択すると１つ手前の画面（ページ）が表示されるようになっている。
【００８３】
この図８（ｄ）に示す本実施例の会員登録のページには、遊技者が予約を希望する遊技場の入力を促すメッセージが表示されるとともに、「地域から探す」、「店舗名から探す」の選択項目が設けられている。該図８（ｄ）の会員登録のページにおいて、「地域から探す」の項目を選択すると、予約を希望する遊技場を、該遊技場の存在する地域から探せるように、図８（ｅ）に示す都道府県名と市町村名を入力できるページが表示され、「店舗名から探す」の項目を選択すると、台予約（遊技機予約）を希望する遊技場を、該遊技場の店舗名（遊技場名）から探せるように、店舗名を入力できるページが配信されて表示される。このように、２つの選択項目が設けられていることによって、遊技者は台予約（遊技機予約）を希望する遊技場を検索する際に、該当する遊技場の存在する地域から検索するか、該当する遊技場の店舗名から検索するかを選択できるようになっている。
【００８４】
この図８（ｄ）の会員登録のページにおいて、遊技者が「地域から探す」の項目を選択した場合には、サイトサーバ１４から遊技者の携帯電話１６に図８（ｅ）に示す店舗検索ページが配信される。この図８（ｅ）の店舗検索ページには、予約を希望する遊技場が存在する「都道府県名」の入力項目と「市区町村名」の入力項目が設けられており、該ページの「都道府県名」の選択入力項目において、プルダウンメニュー内の都道府県名をプルダウンによって簡便に選択入力できるようになっている。「市区町村名」の入力項目は、フリースペースとなっており、遊技者は携帯電話１６を操作することで、予約を希望する遊技場の存在する市区町村名を手入力できるようになっている。
【００８５】
そして、これら都道府県名と市区町村名を選択並びに入力した後に、該店舗検索ページ内に設けられている「検索」の項目を選択すると、サイトサーバ１４は、該入力された情報を管理サーバ１４０に送信し、管理サーバ１４０は、サイトサーバ１４から送信されてきた「都道府県名」と「市区町村名」とに対応する郵便番号を図示しない郵便番号テーブルから特定し、前記遊技関連情報テーブルにおいて該特定した郵便番号に該当する郵便番号（上位３桁のみ）が記憶されている遊技場ＩＤを抽出し、該抽出した遊技場ＩＤから特定される遊技場名を含む抽出結果をサイトサーバ１４に返信することで、サイトサーバ１４は、図８（ｇ）に示すように、アクセス利用者の携帯電話１６に管理サーバ１４０により抽出された遊技場の店舗名の一覧を含むページを配信する。尚、サイトサーバ１４の処理プログラムは、管理サーバ１４０から該当する遊技場が存在しない旨の返信を受けた場合には、図８（ｆ）に示すように、「該当ありません」などの該当する地域にサイト登録できる遊技場がないことを遊技者に伝えるメッセージと、もう一度、「都道府県名」や「市町村名」などの検索条件を入力しなおす旨を伝えるメッセージが記載されたページを配信する。
【００８６】
この図８（ｇ）に示す店舗名の一覧が表示されたページにおいて、アクセス利用者が予約を希望する遊技場が存在する場合には、当該遊技場の店舗名に対応して表示されているチェックボックスを選択する。尚、本実施例では、このチェックボックスは、複数選択可能となっており、これらを選択した後に「登録」を選択することで、図８（ｈ）に示すように、該選択した遊技場に関する詳細情報が記載されたページが配信される。この詳細情報のページには、当該遊技場の「住所」、「遊技場までの交通手段」、「営業時間」、「営業形態」、「定休日」、「台数」などの詳細情報が記載されているとともに、「この店舗で会員登録する。」の選択項目が設けられており、遊技者が詳細情報のページにて表示された遊技場にて台予約（遊技機予約）を行いたい場合には、この「この店舗で会員登録する。」の項目を選択することで図９（ａ）に示す、サイト会員の会員登録に必要な個人情報を受付けるための個人情報入力ページが配信される。
【００８７】
この本実施例の個人情報入力ページには、図９（ａ）に一部省略して図示するように、遊技者の「名前」、「フリガナ」、「生年月日」、「性別」、「メールアドレス」、「遊技場会員ＩＤ」、「郵便番号」、「住所」、「電話番号」…等の入力部（性別においては選択部）が設けられている。
【００８８】
この図９（ａ）の個人情報入力ページにおいて、アクセス利用者は、「名前」、「生年月日」、「メールアドレス」、「郵便番号」、「住所」、「電話番号」…等の詳細な個人情報（会員属性情報）を入力するとともに、当該アクセス利用者が予約を希望する遊技場の遊技場会員ならば、該遊技場における自分の遊技場会員ＩＤを「遊技場会員ＩＤ」の入力項目に入力する。
【００８９】
アクセス利用者が個人情報を入力し、「次へ」を選択すると、該入力された個人情報（会員属性情報）が携帯電話１６からサイトサーバ１４に送信され、これに応じてサイトサーバ１４から図９（ｂ）に示す登録情報確認のページが配信され、該ページには、アクセス利用者が遊技機の予約を希望する遊技場の店舗名と、アクセス利用者が入力した入力情報の一覧が表示される。そして、アクセス利用者が、当該表示内容を確認した後に該ページに設けられている「登録」を選択すると、サイトサーバ１４から、アクセス利用者より受付けた個人情報や予約を希望する（会員登録を実施する）遊技場名や入力が有る場合には遊技場会員ＩＤなどの新規登録情報が管理サーバ１４０に送信されることで、前述のように、サイト会員ＩＤと、パスワードとが該管理サーバ１４０にて生成され、該生成されたサイト会員ＩＤとパスワードとに対応付けてサイトサーバ１４を介してアクセス利用者から受付けた入力情報である個人情報（会員属性情報）がサイト会員情報テーブルに記憶されるとともに、アクセス利用者により選択（指定）された予約を希望する（会員登録を実施する）遊技場の遊技場ＩＤもサイト会員ＩＤに対応付けて記憶されることで、当該予約を希望する遊技場への会員登録とサイト会員登録を実施した旨が記憶される。
【００９０】
前記新規登録情報に遊技場会員ＩＤが含まれていなかった場合には、アクセス利用者の携帯電話１６には、図９（ｃ）に示すように、登録完了のメッセージとともに、アクセス利用者が予約を希望する遊技場において、予約が可能である旨を伝えるメッセージ（案内情報）が表示された登録完了ページが携帯電話１６に配信されることで、アクセス利用者が予約が可能であることを知覚できるようになっている。尚、この登録完了ページの配信に際して、前述のように、サイト会員ＩＤとパスワードとサイト会員のログインページのＵＲＬとが含まれた電子メールが送信されることで、遊技者は、一度情報端末のブラウザを終了してサイトサーバ１４へのアクセスを中断し、受信した電子メールのログインページにアクセスしてログインして、遊技機の予約を実施できる。
【００９１】
一方、前記新規登録情報に遊技場会員ＩＤが含まれている場合には、前述のように、会員管理コンピュータ１２０において、該遊技場会員ＩＤの登録があるかが確認された後に、サイト会員ＩＤとパスワードとサイト会員のログインページのＵＲＬとが含まれた電子メールが送信されて、遊技機の予約が可能となることから、サイトサーバ１４からは、図９（ｄ）に示すように、受付け完了のメッセージと、後ほどサイト会員ＩＤとパスワードとサイト会員のログインページのＵＲＬとが含まれた電子メールが図９（ａ）に示す個人情報入力ページにおいて受付けた携帯電話１６の電子メールアドレス宛てに送信される旨を伝えるメッセージが表示され、予約が可能であるメッセージを有しない登録完了ページが、アクセス利用者の携帯電話１６に対して配信される。
【００９２】
該電子メールの受信に基づいて、該受信した電子メールに含まれるサイトサーバ１４のログインページにリンクされたＵＲＬを選択することで、アクセス利用者は、図１０（ｂ）に示すログインページに簡便にアクセスすることができる。尚、既にサイト会員登録を済ませているサイト会員の場合には、前記ＴＯＰページに設けられている「会員の方はこちら」のメニュー項目を選択することで、該ログインページへ移行できる。
【００９３】
この図１０（ｂ）に示すログインページには、「ＩＤ」、「パスワード」の入力部が設けられており、アクセス利用者は電子メールにて通知された自分のサイト会員ＩＤを「ＩＤ」の入力部に、パスワードを「パスワード」の入力部に入力したのち「ログイン」を選択することで、該入力された「ＩＤ」と「パスワード」を含む認証要求が管理サーバ１４０に送信される。
【００９４】
該認証要求の受信に基づいて管理サーバ１４０は、前記サイト会員情報テーブルに受信した認証要求に含まれる「ＩＤ」と「パスワード」と一致する登録（記憶）が存在するか否かに基づいてアクセス利用者の認証を実施し、認証結果をサイトサーバ１４に返信することで、認証結果が「認証ＯＫ」である場合においてサイトサーバ１４からアクセス利用者の携帯電話１６に、図１０（ｅ）に示すマイページのＴＯＰページが配信される。尚、認証結果が「認証ＮＧ」である場合には、ログインエラーとなり、図１０（ｃ）に示す「ＩＤとパスワードが一致しません。」というエラーメッセージが記載されたエラーページ、または図１０（ｄ）に示す「ＩＤが登録されていません。」というエラーメッセージ記載されたエラーページが配信される。
【００９５】
このようにしてログインした際には、図１０（ｅ）に示すマイページＴＯＰページが表示される。該マイページＴＯＰページは、アクセス利用者毎に用意されているアクセス利用者専用のＴＯＰ画面（ページ）である。該マイページＴＯＰページには、図１０（ｅ）に示すように、「ブックマーク登録」、「キャンペーン」、「台抽出」、「ＭＹ店舗一覧」、「機種別ランキング」、「ＭＹページ編集」、「サポート」、「ログオフ」などのメニュー項目が設けられており、これら各メニュー項目を選択することで、種々の情報を取得したり、遊技機の予約を実施できるようになっている。
【００９６】
ここで、アクセス利用者が遊技機の予約（台予約）を実施したい場合には、複数のルート、具体的には、予約したい遊技場である店舗を指定して当該店舗に設置されている遊技機の予約対象台の予約を実施するルートと、予約を実施したい遊技機を、遊技データや機種に基づいて抽出して予約するルートや、ランキング情報を確認して予約するルートが可能とされている。
【００９７】
まず、通常の予約の流れとしては、アクセス利用者は、図１０（ｅ）に示すマイページＴＯＰページの「ＭＹ店舗一覧」の項目を選択する。該選択に基づいて、サイトサーバ１４は、管理サーバ１４０に対してアクセス利用者のサイト会員ＩＤに対応してサイト会員情報テーブルに記憶されている遊技場の送信要求を送信することで、管理サーバ１４０は、サイト会員情報テーブルにおいて受信したサイト会員ＩＤに対応して記憶されている遊技場ＩＤを全て抽出するとともに、遊技関連情報テーブルにおいて該抽出した遊技場ＩＤに対応して記憶されている遊技場名を抽出して遊技場名を特定し、該特定した全ての遊技場名をサイトサーバ１４に返信することで、サイトサーバ１４は返信されてきた遊技場名が一覧表示される図１０（ｆ）のＭＹ店舗一覧ページをアクセス利用者の携帯電話１６に配信する。
【００９８】
この図１０（ｆ）に示すＭＹ店舗一覧のページには、アクセス利用者が予約対象の遊技場として登録することで、当該アクセス利用者のサイト会員ＩＤに対応付けてサイト会員情報テーブルに記憶されている全ての遊技場ＩＤから特定される遊技場名（店舗名）の一覧が表示されており、各々の店舗名は店舗情報を記載したページとリンクされている。そして、該ページに表示された店舗名一覧の内、アクセス利用者が遊技機の予約を希望する店舗名を選択（指定）すると、図１０（ｇ）に示すように、選択した遊技場の店舗情報のページが配信される。この店舗情報のページには、「台予約」、「店舗Ｗｈａｔ's  New」、「開店時間、公休日」、「パチンコ全台設置情報」、「パチスロ全台設置情報」、「新台情報」、「景品情報」、「店舗所在地情報」、「台抽出」、「昨日のパチンコベスト１０」、「昨日のパチスロベスト１０」、「昨日のパチンコワースト１０」、「昨日のパチスロワースト１０」などの選択項目が設けられており、アクセス利用者が該選択した遊技場において予約可能とされている遊技機の予約を実施したいときは該店舗情報のページにおいて、「台予約」の項目を選択し、抽出条件にて絞り込んだ遊技機の中から予約したい遊技機を選択して予約をする場合には「台抽出」を、ランキングを把握して該ランキング中の遊技機の中から予約したい遊技機を選択して予約をする場合には「昨日のパチンコベスト１０」、「昨日のパチスロベスト１０」、「昨日のパチンコワースト１０」、「昨日のパチスロワースト１０」の各選択項目を入力する。
【００９９】
アクセス利用者が「台予約」を選択した場合には、図１１（ａ）に示す指定受付けページが配信される。該指定受付けページには、アクセス利用者が予約したい日付を指定するための「月」、「日」の選択入力項目を有する予約日選択部と、予約を行いたい台の種別が「パチンコ」か「スロット」の何れなのかを選択入力するための種別入力部とが設けられており、該予約日選択部には、デフォルトにおいて翌日の日付が、種別入力部にはパチンコが表示されている。
【０１００】
該指定受付けページにおいてアクセス利用者が日付と台の種類を指定し、画面（ページ）下に設けられている「次へ」を選択すると、サイトサーバ１４から管理サーバ１４０に対して、当該アクセス利用者から受付けた指定日付と台の種別並びにサイト会員ＩＤと遊技場ＩＤとを含む予約台出力要求が送信され、管理サーバ１４０は、受信した予約台出力要求に含まれる遊技場ＩＤに対応して予約対象台テーブルに記憶されている予約対象設定内容の内、受信した予約台出力要求に含まれる指定日付に該当する日付において予約可能とされ、その当日が予約受付け期間に該当している遊技機（台）の台番号を特定し、該特定した遊技機（台）の台番号と機種名とをサイトサーバ１４に返信することで、図１１（ｄ）に示すように、予約可能な遊技機（台）の台番号とその機種名とが一覧表示される予約可能台ページがサイトサーバ１４により携帯電話１６に配信される。
【０１０１】
尚、この予約台出力要求の受信に際して管理サーバ１４０は、前記特定した予約可能台に対応付けて予約対象台テーブルに記憶されている予約受付時間帯を特定し、その時点での時間帯が特定した予約受付時間帯に該当しない場合には、時間外エラーをサイトサーバ１４に返信することで、図１１（ｂ）に示す「ただいま予約受付時間外です。」等の予約受付時間外であることをアクセス利用者に伝えるメッセージと該遊技場の予約受付時間が記載されたエラーページがサイトサーバ１４から配信されることで、アクセス利用者は予約受付時間に予約を行うように促される。
【０１０２】
また、その時点での時間帯が特定した予約受付時間帯に該当する場合において管理サーバ１４０は、前記特定した予約可能台に対応付けて予約対象台テーブルに記憶されている予約対象条件を特定し、前記予約台出力要求に含まれるサイト会員ＩＤの会員属性情報を前記サイト会員情報テーブルにおいて当該サイト会員ＩＤに対応して記憶されている会員属性情報から特定し、該特定した会員属性情報が前記特定した予約対象条件を満たしているかを判定する。具体的には、例えば予約対象条件が女性であることが条件であればアクセス利用者のサイト会員ＩＤに対応してサイト会員情報テーブルに記憶されている性別が女性であるかを判定する。そして、該判定において、予約対象条件を満たしていない、例えば、予約対象条件が女性であることが条件であるのに対し、アクセス利用者が男性である場合には、対象条件エラーをサイトサーバ１４に返信することで、図１１（ｃ）に示す「予約対象者は女性に限定しております。」等のアクセス利用者が予約対象条件の対象外であることを伝えるメッセージが記載されたエラーページが、サイトサーバ１４からアクセス利用者の携帯電話１６に配信される。
【０１０３】
アクセス利用者が予約対象台の予約対象条件と一致し、かつ予約対象時間帯にサイトサーバ１４にアクセスしている場合には、前述の図１１（ｄ）に示すように、予約可能な台の「機種名」に対応付けて「台番号」が一覧表示された予約可能台ページが配信されることにより、アクセス利用者が該ページにおいて予約したい台を選択すると、管理サーバ１４０の遊技関連情報テーブルにおける記憶情報に基づいて、図１１（ｅ）に示すように、当該選択された遊技機（台）の詳細情報が記載されたページが配信される。
【０１０４】
この図１１（ｅ）に示す台の詳細情報のページには、管理サーバ１４０の遊技関連情報テーブルに記憶された情報に基づいて、アクセス利用者が選択した台の前日と前々日の「大当り回数」、「差玉数」、「確変回数」などの遊技関連情報が表示されており、アクセス利用者は、予約の確定に際して、選択した台の前日と前々日の遊技関連情報を確認できるようになっている。
【０１０５】
そして、該詳細情報のページにおいて「次へ」の項目が選択されることに基づいて、選択された遊技機（台）の台番号がサイトサーバ１４を介して管理サーバ１４０に送信される。このように、管理サーバ１４０は、図１０（ｂ）で入力されたサイト会員ＩＤに対応付けて、サイト会員情報テーブルに遊技場ＩＤが記憶されている、つまり、当該サイト会員ＩＤの遊技者が当該遊技場ＩＤの遊技場に会員登録を実施した旨が記憶されていることを条件として、図１１（ｄ）で選択された台番号を、予約要求として受付ける。さらに詳しくは、管理サーバ１４０は、図１０（ｂ）で入力されたサイト会員ＩＤに対応付けて、サイト会員情報テーブルに記憶されている遊技場ＩＤの遊技場に設置されている遊技機のうち、図１１（ｄ）で選択された遊技機の台番号を、予約要求として受付ける。つまり、このようにして管理サーバ１４０が、アクセス利用者から会員特定情報であるサイト会員ＩＤを受付け、該受付けた会員特定情報のアクセス利用者が、前記遊技場に会員登録を実施した旨が前述の会員登録者記憶ステップにおいてサイト会員情報テーブルに記憶されていることを条件として、該アクセス利用者から当該遊技者が予約を所望する遊技機を個々に識別可能な遊技機識別情報である台番号を予約要求として受付けることで予約要求受付ステップが形成され、該予約要求受付ステップにおいては、前述したように、受付けた会員特定情報であるサイト会員ＩＤのアクセス利用者が会員登録を実施した旨として遊技場ＩＤが前述の会員登録者記憶ステップにおいてサイト会員情報テーブルに記憶されている遊技場に設置されている遊技機のうち、遊技者が予約を所望する遊技機の遊技機識別情報である台番号を予約要求として受付ける。
【０１０６】
該予約要求を受付けた管理サーバ１４０は、当該遊技場においてアクセス利用者が選択した予約したい日付、予約したい台の機種名と台番号と一致する予約が既に前記サイト予約情報テーブルに記憶されていないか否かを確認するとともに、再度、予約希望の台が、予約希望日において予約可能な台であるかや、予約者が予約対象条件を満たしているかを確認（判定）した後、これらの確認において問題がない場合において、サイトサーバ１４を通じて図１１（ｆ）に示すように、アクセス利用者が選択した予約したい日付、予約したい台の機種名と台番号の確認のメッセージが表示されるとともに、予約に必要な料金が表示される予約確認ページが配信されることで予約の実施が許容される。
【０１０７】
そして、該予約確認ページにおいて「次へ」の項目を選択すると、図１１（ｇ）に示すように、「パスワード」を入力するパスワード入力部が設けられている決済のページが配信され、アクセス利用者はサイト会員登録に際して電子メールにて通知された前記パスワードをパスワード入力部に入力し、「予約する」の項目を選択することに基づいて、管理サーバ１４０は、当該アクセス利用者のサイト会員ＩＤに対応付けてサイト会員情報テーブルに記憶されているパスワードと入力されたパスワードとを照合して本人確認を実施し、該パスワードが一致した場合において、管理サーバ１４０のサイト予約情報テーブルに、前記指定受付けページにて指定を受付けた予約日と、前記ＭＹ店舗一覧ページにて選択を受付けた遊技場の遊技場ＩＤと、前記予約可能台ページにて選択を受付けた遊技機の台番号と、前記ログインページにて受付けたアクセス利用者のサイト会員ＩＤと、当該サイト会員ＩＤに対応する遊技場会員ＩＤとが対応付けて記憶される。つまり、このようにして管理サーバ１４０が、前述した予約要求受付ステップにて受付けた予約要求に含まれる遊技機識別情報である台番号と、当該予約要求を行ったアクセス利用者の会員特定情報であるサイト会員ＩＤとを対応付けて予約情報としてサイト予約情報テーブルに記憶することで、予約情報記憶ステップが形成されており、該予約情報記憶ステップにおいては、前述のように、予約要求として受付けた遊技機識別情報である台番号の遊技機が設置された遊技場の遊技場特定情報である遊技場ＩＤを含む前記予約情報を記憶する。
【０１０８】
そして、管理サーバ１４０は決済サービス会社に設置された決済サーバ１３に対して前記サイト予約情報テーブルの記憶データを含む予約の代価の決済要求を送信することで、決済サーバ１３においてサイト会員ＩＤに対応して記憶されている決済用残金に基づいて予約の代価の決済が実施される。尚、アクセス利用者の携帯電話１６には、図１１（ｈ）に示すようにサイトサーバ１４から台の予約が完了した旨を伝えるメッセージが記載された完了ページが配信される。
【０１０９】
尚、図１１（ａ）において指定された日付において予約可能な台が当該遊技場に存在しない場合にあっては、図１１（ｄ）の予約可能台ページにおいて予約可能な台が存在しない旨とその他の遊技場の選択画面（ページ）へのリンクが表示されたページが配信されるようになっている。
【０１１０】
また、本実施例ではサイト会員ＩＤの入力を図１０（ｂ）のログインページにて行い、予約を希望する遊技機の台番号の選択を図１１（ｄ）の予約可能台ページにて行っているが、これに限ることなく、サイト会員ＩＤの入力と台番号の選択を同一のページにて行ったり、連続して配信されるページにて行うことで、サイト会員ＩＤの入力と台番号の選択を同時に受付けるようにしてもよい。
【０１１１】
また、本実施例の予約サイトにおいては、会員登録した自分の会員属性情報（個人情報）の変更を実施できるようになっており、これら会員属性情報（個人情報）が変更される流れについて、図１２並びに図１３に基づいて説明すると、アクセス利用者は、図１０（ｂ）に示すログインページにおいて、サイト会員ＩＤとパスワードを入力してログインすると、図１０（ｅ）と同一の図１２（ａ）に示すマイページＴＯＰページが配信される。このマイページＴＯＰページにおいて、「会員情報変更」の項目を選択すると、サイトサーバ１４は受付けたサイト会員ＩＤとパスワードを管理サーバ１４０に送信する。管理サーバ１４０は、受信したサイト会員ＩＤとパスワードの照合を実施して、該照合が一致したならば、受信したサイト会員ＩＤに対応付けられてサイト会員情報テーブルに登録（記憶）されている会員属性情報（個人情報）をサイト会員ＩＤとともにサイトサーバ１４に返信する。
【０１１２】
サイトサーバ１４は、該受信した会員属性情報（個人情報）に基づいて、現在記憶されているアクセス利用者の「郵便番号」、「住所」、「メールアドレス」などの会員情報（個人情報）が表示された図１２（ｂ）に示す会員情報変更のページを配信する。
【０１１３】
この会員情報変更のページの表示に基づいて、アクセス利用者は、表示された情報の内、例えば、自分の住所の情報を変更したい場合には、図１２（ｂ）のページに表示された「住所」を選択すると、図１２（ｃ）に示すように、住所の入力項目が設けられた住所入力ページが配信される。
【０１１４】
この図１２（ｃ）に示す住所入力ページにおいて、アクセス利用者が「住所」の入力項目に変更したい住所を手入力し、「変更」を選択すると、図１２（ｄ）に示す変更後のアクセス利用者の会員属性情報（個人情報）の確認ページが配信される。そして、該確認ページにおいて「確認」を選択することに基づいてサイトサーバ１４は、前述した図１２（ｃ）に示す入力ページにおいて受付けた変更内容を含む更新情報を、当該アクセス利用者のサイト会員ＩＤとともに管理サーバ１４０に送信する。
【０１１５】
管理サーバ１４０は、受信した更新情報に基づいて、受信したサイト会員ＩＤに対応付けて登録（記憶）されているサイト会員情報テーブルの会員属性情報（個人情報）を更新するとともに、サイト会員情報テーブルのサイト会員ＩＤに対応付けて登録されている全ての遊技場ＩＤを抽出し、該抽出された遊技場ＩＤから特定される各々の遊技場に設置されている会員管理コンピュータ１２０に対して更新情報とサイト会員ＩＤとを含む変更情報を送信する。つまりは、このようにして管理サーバ１４０が、サイトサーバ１４を介してアクセス利用者から、前記会員特定情報であるサイト会員ＩＤ並びに会員属性情報の変更内容とを含む変更情報を受信して受付けることで変更受付ステップが形成され、該変更受付ステップにて受付けた前記会員特定情報であるサイト会員ＩＤと前記会員属性情報の変更内容とを含む変更情報である更新情報を前記会員管理装置である会員管理コンピュータ１２０に送信することで変更情報送信ステップが形成されている。尚、本実施例では、変更情報に更新情報とともに会員特定情報であるサイト会員ＩＤを含む形態にて会員管理コンピュータ１２０に送信しているが、本発明はこれに限定されるものではなく、会員特定情報であるサイト会員ＩＤに代えるか、或いはサイト会員ＩＤとともに、当該サイト会員ＩＤから特定される前記会員識別情報である遊技場会員ＩＤを含む変更情報を送信するようにしても良い。
【０１１６】
各遊技場の会員管理コンピュータ１２０は、受信した更新情報に基づいて、受信したサイトＩＤに対応付けて登録（記憶）されている会員情報テーブルの会員属性情報（個人情報）を更新（変更）する。このように、本実施例では、予約サイトにて受付けた変更内容が、管理サーバ１４０のみならず、会員管理コンピュータ１２０に送信されて自動的に変更内容が反映されるようになっており、このようにすることは、遊技者であるアクセス利用者は、これら登録内容の変更のために、いちいち遊技場に出向く必要がなく、遊技者の利便性を高められるとともに、遊技者であるアクセス利用者から直接変更内容を受付けることにより、遊技場に設置された会員管理装置である会員管理コンピュータ１２０等にて、これらの変更内容を入力する手間を省くことができるとともに、入力ミスも低減できる。
【０１１７】
ここで、本実施例のサイトサーバ１４による予約サイトにおいて受付けられた各遊技場の予約可能台に対する予約が、各遊技場においてどのように実行されるかについて説明すると、これら各遊技場の予約可能台に対する予約は、前述のように、管理サーバ１４０において、予約可能台であるかや当該遊技機が既に予約されていないかが確認された後、予約が許容されることでサイト予約情報テーブルに、当該予約された遊技機が設置されている遊技場の遊技場ＩＤと台番号とに対応付けて、予約を実施したサイト会員のサイト会員ＩＤと、遊技場会員ＩＤとが記憶され、該サイト予約情報テーブルに記憶されているこれら予約情報が、営業前の所定時間において当該遊技場に設置されている遊技機へのその当日の予約情報が自動的に配信されて前記会員管理コンピュータ１２０の予約情報テーブルに記憶されるようになっている。
【０１１８】
本実施例のサイトサーバ１４による予約サイトにおいて、新規に会員登録した遊技者（アクセス利用者）が遊技機の予約をして当該予約した遊技機が設置されている遊技場へ来場した場合には、該遊技者（アクセス利用者）からサイト会員ＩＤのみの提示を受けた場合には新規会員登録者であると判断して、該サイト会員ＩＤを会員管理コンピュータ１２０に入力する。
【０１１９】
この入力に基づいて、会員管理コンピュータ１２０には、当該入力されたサイト会員ＩＤに対応して登録されている会員ＩＤが表示されるようになっており、該表示された会員ＩＤが記録された会員カードを当該新規会員登録者に対して発行する。この会員カードの発行の際に、遊技場における本人確認のための「暗証番号」の受付けを行い、該受付けた「暗証番号」を会員管理コンピュータ１２０に入力することで、該入力された暗証番号が、会員情報テーブルにおいて発行される会員ＩＤに対応する「暗証番号」の項目に登録（記憶）される。
【０１２０】
そして、新規会員登録者が、該発行された会員カードを予約した遊技機に対応して設けられているカードユニット３に挿入することで、該挿入された会員カードから読み出された遊技場会員ＩＤが当該遊技機への予約情報に含まれる遊技場会員ＩＤに一致するか否かが会員管理コンピュータ１２０にて照合され、照合が一致した場合において当該カードユニット３の利用が可能とされることで、当該遊技機に対して予約した遊技者の会員カードのみが受付けられて遊技が許容される。
【０１２１】
以上、本実施例によれば、遊技機の予約を受付ける予約管理装置を構成するサイトサーバ１４と管理サーバ１４０において、遊技者は予約をしたい遊技場の会員登録を行うことができるようになるため、遊技機の予約サービスを初めて利用しようとする遊技者が、わざわざ予約をする遊技場まで出向いて会員登録することなく、遊技機の予約を実施することができるようになり、これら遊技機の予約を可能とする遊技システムの利用者増を図ることができる。また、従来、新装開店時等には、会員登録および遊技機の予約を希望する遊技者が遊技場に殺到し、遊技場の店員の作業負担が著しく大きくなるとともに、遊技者も長時間待たされる等の不便があったが、これらの問題も大幅に解消することができる。
【０１２２】
また、本実施例によれば、会員登録の完了を通知する登録完了画面（図９（ｃ））において、予約が可能であることのメッセージが表示されることにより、会員登録が完了した遊技者に、遊技機の予約が可能となった旨を確実に認識させることができる。
【０１２３】
また、本実施例によれば、管理サーバ１４０が、予約情報テーブルに記憶されている予約情報に基づいて、その当日の各遊技場毎の予約情報を会員管理コンピュータ１２０に配信するようにしており、このようにすることは、遊技場に来店した遊技者が、予約を行った遊技者本人であるかの確認を遊技場が予約情報に基づいて実施する際に、これら予約情報を、予約管理装置を構成する管理サーバ１４０に問い合わせる場合に比較して、迅速に確認作業を実施できる。
【０１２４】
また、本実施例によれば、遊技者は複数の遊技場の会員登録を予約サイトにおいて実施できるとともに、複数の遊技場に設置されている遊技機の中から予約する遊技機を選択できるため、遊技者の利便性を向上できる。
【０１２５】
また、本実施例によれば、予約サイトにおいて遊技者から会員属性情報の変更を受付けて、該受付けた変更内容が管理サーバ１４０と会員管理コンピュータ１２０にて登録されている会員属性情報に自動的に反映されるようになるため、遊技場にあっては、遊技場に設置された会員管理コンピュータ１２０等にてこれら会員属性情報の変更内容を入力する手間を省くことができるとともに、入力ミスも低減でき、更には、遊技者にあっては、これら変更のために遊技場に出向く必要がなく、遊技者の利便性も高めることができる。
【０１２６】
以上、本発明の実施例を図面により説明してきたが、具体的な構成はこれら実施例に限られるものではなく、本発明の要旨を逸脱しない範囲における変更や追加があっても本発明に含まれる。
【０１２７】
例えば、前記実施例では、サイトサーバ１４と管理サーバ１４０とを個別に設けているが、本発明はこれに限定されるものではなく、これら各サーバを１つのサーバにて構築しても良い。
【０１２８】
また、前記実施例においてはアクセス利用者の情報端末として遊技者が所持する携帯電話１６やノートパソコン１５を例示したが、本発明はこれに限定されるものではなく、これら情報端末としては、オープンコンピュータネットワークであるインターネット網に接続可能なものであれば利用可能であることは言うまでもなく、例えばこれら情報端末としては、遊技場において貸し出される携帯電話であっても良いし、遊技場内に配置されたパソコンや、該パソコンを内在した専用の顧客用端末装置としても良い。
【０１２９】
また、前記実施例においては、各遊技場に設置されている遊技機の予約可、予約不可を特定するための情報を、予約対象台テーブルに個別に登録しているが、本発明はこれに限定されるものではなく、例えば、これら予約対象台テーブルに登録されている予約対象台の情報に基づいて、翌日の予約が可能であるか否かを、各遊技場に設置されている遊技機の遊技関連情報が記憶されている遊技関連情報テーブルにおいて、各遊技機毎に記憶しておくようにしても良い。
【０１３０】
また、前記実施例では、遊技関連情報を会員管理コンピュータ１２０から自動的に所定時間毎に送信することで、管理サーバ１４０における遊技関連情報テーブルに反映されるようになっているが、本発明はこれに限定されるものではなく、例えばこれらの遊技関連情報を、遊技場端末となるノートパソコン１５０から、一日のうちの所定時間において、所定形式のタグファイル等を管理サーバ１４０に電子メール等により送信することで、該タグファイルが管理サーバ１４０に転送されて、遊技関連情報テーブルに反映されるようにしても良い。また、前記実施例では、これら遊技関連情報の一部を、ランキング情報の入力に際してノートパソコン１５０から入力するようにしており、このように、遊技関連情報を受付けるためのページを各ノートパソコン１５０に配信して遊技関連情報をサイトサーバ１４にて受付け、該受付けた遊技関連情報に基づいて管理サーバ１４０が遊技関連情報テーブルを更新するようにしても良い。
【０１３１】
また、前記実施例では、会員管理コンピュータ１２０とノートパソコン１５０とを個別の端末としているが、本発明はこれに限定されるものではなく、これらノートパソコン１５０と会員管理コンピュータ１２０とを同一の遊技場端末としても良い。
【０１３２】
また、前記実施例では、ランキングテーブルや機種別ランキングテーブルを個別に設けて、これらランキングテーブルや機種別ランキングテーブルに予めランキング情報を記憶しておき、該ランキングテーブルや機種別ランキングテーブルに記憶されているランキング情報や機種別ランキング結果をアクセス利用者の携帯電話１６に配信するようにしているが、本発明はこれに限定されるものではなく、これらのランキング情報や機種別ランキング結果を、遊技関連情報テーブルにおける記憶内容に基づいて、ランキング情報や機種別ランキング結果の配信要求がなされた時点においてランキングして配信するようにしても良い。
【０１３３】
また、前記実施例では、管理サーバ１４０から、営業開始前の所定時間において予約情報が各遊技場に配信されるようにしているが、本発明はこれに限定されるものではなく、これらの予約情報を会員管理コンピュータ１２０から管理サーバ１４０にアクセスして入手するようにしても良い。
【０１３４】
また、前記実施例では、遊技者であるアクセス利用者の遊技者識別情報であるサイト会員ＩＤをログイン時において既に受付けていることから、遊技機の予約の受付け時においては、サイト会員ＩＤを改めて受付けることを実施せずに、アクセス利用者がこれらサイト会員ＩＤを改めて入力する手間を省けるようにしているが、本発明はこれに限定されるものではなく、これら予約を希望する遊技機の指定（選択）時において、同時に遊技者識別情報であるサイト会員ＩＤを受付けるようにしても良い。
【０１３５】
また、前記実施例では、予約サイトにおける会員登録の受付において、アクセス利用者により選択された予約を希望する（会員登録を要求する）遊技場名が、サイトサーバ１４から管理サーバ１４０に対して送信されるようにしているが、本発明はこれに限定されるものではなく、これら遊技場名に代えて、当該遊技場の遊技場ＩＤが送信されるようにしても良いし、或いは、アクセス利用者より選択を受付けるための店舗一覧ページにて選択されたチェックボックスの番号等の識別情報が送信されるようにしても良い。
【０１３６】
また、前記実施例では、複数の各遊技場において異なる形式の遊技場会員ＩＤに対応するために、遊技者識別情報である遊技場会員ＩＤと遊技者特定情報であるサイト会員ＩＤとを個別のものとしているが、本発明はこれに限定されるものではなく、例えば、予約サイトの運営機関と遊技場を運営する機関とが同一であり、これら遊技場会員ＩＤとサイト会員ＩＤとを統一できる場合であれば、サイト会員ＩＤと遊技場会員ＩＤとを同一のものとしても良い。
【０１３７】
前記各実施例における各要素は、本発明に対して以下のように対応している。
本発明の請求項１は、遊技場に設けられ、当該遊技場の会員登録をした会員遊技者（遊技場会員）を個々に識別可能な会員識別情報（遊技場会員ＩＤ）に対応付けて、当該会員遊技者に関する会員属性情報（個人情報）を記憶するための会員情報記憶手段（記憶装置１２４、会員情報テーブル）を有する会員管理装置（会員管理コンピュータ１２０）と、通信回線網（インターネット網）を介して接続された遊技者（アクセス利用者）が操作可能な情報端末（携帯電話１６）から、前記遊技場の会員登録に必要な会員属性情報（個人情報）を含む会員登録要求を受付ける登録要求受付手段（サイトサーバ１４）と、該登録要求受付手段にて受付けた会員登録要求を行った情報端末の操作者である遊技者に付与される前記会員識別情報を特定するための会員特定情報（サイト会員ＩＤ）を決定する会員特定情報決定手段（管理サーバ１４０）と、該会員特定情報決定手段にて決定した会員特定情報を、前記会員登録要求を行った情報端末に返信することで該会員特定情報を遊技者に通知する会員特定情報通知手段（サイトサーバ１４）と、前記会員特定情報を通知した遊技者が前記遊技場に会員登録を実施した旨を記憶するための会員登録者記憶手段（管理サーバ１４０）と、前記会員特定情報或いは前記会員特定情報から特定される会員識別情報と前記会員登録要求に含まれる会員属性情報（個人情報）とを含む会員登録情報（サイト会員ＩＤ、個人情報）を、前記会員管理装置に送信する登録情報送信手段（管理サーバ１４０）と、前記情報端末から会員特定情報を受付け、該受付けた会員特定情報の遊技者が、前記遊技場に会員登録を実施した旨が前記会員登録者記憶手段に記憶されていることを条件として、該情報端末から、当該遊技者が予約を所望する遊技機を個々に識別可能な遊技機識別情報（台番号）を予約要求として受付ける予約要求受付手段（サイトサーバ１４）と、該予約要求受付手段にて受付けた予約要求に含まれる遊技機識別情報と、当該予約要求を行った遊技者の会員特定情報とを対応付けて予約情報として記憶する予約情報記憶手段（ＣＰＵ１４５、記憶装置１４５、サイト予約情報テーブル）と、を有する予約管理装置（管理サーバ１４０）と、を備え、前記会員管理装置は、前記登録情報送信手段から送信される会員登録情報の受信に基づいて、該会員登録情報に含まれる前記会員識別情報或いは前記会員特定情報から特定される前記会員識別情報に対応付けて、当該会員登録情報に含まれる会員属性情報を前記会員情報記憶手段に記憶する。
【０１３８】
本発明の請求項２は、前記会員特定情報通知手段（サイトサーバ１４）は、前記会員特定情報（サイト会員ＩＤ）とともに、会員登録を実施した遊技場の遊技機の予約が可能である旨を含む案内情報（図９（ｃ）登録完了ページ）を、前記会員登録要求を行った情報端末（携帯電話１６）に送信する。
【０１３９】
本発明の請求項３は、前記予約管理装置（管理サーバ１４０）は、前記予約情報記憶手段（ＣＰＵ１４５、記憶装置１４５、サイト予約情報テーブル）に記憶された予約情報を前記会員管理装置（会員管理コンピュータ１２０）に送信する予約情報送信手段（デジタルサービスユニット１４８）を有し、前記会員管理装置は、該予約情報送信手段から受信した予約情報を記憶するための受信予約情報記憶手段（ＣＰＵ１４５、記憶装置１２４、予約情報テーブル）を有する。
【０１４０】
本発明の請求項４は、前記登録要求受付手段（サイトサーバ１４）は、会員登録を実施する遊技場の指定を受付け、前記会員登録者記憶手段（管理サーバ１４０）は、会員特定情報（サイト会員ＩＤ）を通知した遊技者（アクセス利用者）が、前記登録要求受付手段にて指定を受付けた遊技場に会員登録を実施した旨を記憶し、前記予約要求受付手段は、受付けた会員特定情報の遊技者が会員登録を実施した旨が前記会員登録者記憶手段に記憶されている遊技場に設置されている遊技機のうち、遊技者が予約を所望する遊技機の遊技機識別情報（台番号）を予約要求として受付け、前記予約情報記憶手段（ＣＰＵ１４５、記憶装置１２４、予約情報テーブル）は、該予約要求受付手段にて予約要求として受付けた遊技機識別情報の遊技機が設置された遊技場の遊技場特定情報を含む前記予約情報を記憶する。
【０１４１】
本発明の請求項５は、前記予約管理装置（管理サーバ１４０）は、前記情報端末（携帯電話１６）から、前記会員特定情報（サイト会員ＩＤ）並びに会員属性情報（個人情報）の変更内容を受付ける変更受付手段（サイトサーバ１４）と、該変更受付手段にて受付けた前記会員特定情報（サイト会員ＩＤ）或いは前記会員特定情報から特定される前記会員識別情報（遊技場会員ＩＤ）と前記会員属性情報の変更内容とを含む変更情報（更新情報）を前記会員管理装置（会員管理コンピュータ１２０）に送信する変更情報送信手段（デジタルサービスユニット１４８）と、を備え、前記会員管理装置は、前記変更情報送信手段から送信される変更情報の受信に基づいて、該変更情報に含まれる前記会員識別情報或いは前記会員特定情報から特定される前記会員識別情報に対応して前記会員情報記憶手段（記憶装置１２４、会員情報テーブル）に記憶されている会員属性情報（個人情報）を、該変更情報に含まれる会員属性情報の変更内容に応じて変更する会員属性情報変更手段（ＣＰＵ１２２）を有する。
【図面の簡単な説明】
【０１４２】
【図１】本発明の実施例における遊技用システムの構成を示すシステム図である。
【図２】本発明の実施例における遊技用システムに用いたホールコンピュータと会員管理コンピュータの構成を示すブロック図である。
【図３】（ａ）は、本発明の実施例の会員管理コンピュータにおける会員情報テーブルを示す図であり、（ｂ）は、遊技関連情報テーブルを示す図であり、（ｃ）は、予約情報テーブルを示す図である。
【図４】本発明の実施例における遊技用システムに用いたサイトサーバと管理サーバの構成を示すブロック図である。
【図５】（ａ）は、本発明の実施例における管理サーバのサイト会員情報テーブルを示す図であり、（ｂ）は、サイト予約情報テーブルを示す図である。
【図６】（ａ）は、本発明の実施例における管理サーバの遊技関連情報テーブルを示す図であり、（ｂ）は、予約対象台情報テーブルを示す図である。
【図７】本発明の実施例における会員管理コンピュータと管理サーバとサイトサーバとの間のデータの流れを示す図である。
【図８】本発明の実施例における遊技機予約サービスの配信画面（ページ）の流れを示す図である。
【図９】本発明の実施例における遊技機予約サービスの配信画面（ページ）の流れを示す図である。
【図１０】本発明の実施例における遊技機予約サービスの配信画面（ページ）の流れを示す図である。
【図１１】本発明の実施例における遊技機予約サービスの配信画面（ページ）の流れを示す図である。
【図１２】本発明の実施例における遊技機予約サービスの配信画面（ページ）の流れを示す図である。
【図１３】本発明の実施例における会員管理コンピュータと管理サーバとサイトサーバとの間のデータの流れを示す図である。
【図１４】本発明の実施例における予約台抽出条件設定画面を示す図である。
【図１５】本発明の実施例における予約設定確認画面を示す図である。
【図１６】本発明の実施例における予約設定入力画面を示す図である。
【符号の説明】
【０１４３】
２        パチンコ機
３        カードユニット
１３      決済サーバ
１４      サイトサーバ
１５      ノートパソコン
１６      携帯電話
１１０    ホールコンピュータ
１２０    会員管理コンピュータ
１４０    管理サーバ
１４５    記憶装置
【図１】
2005124607.tif 000003
【図２】
2005124607.tif 000004
【図３】
2005124607.tif 000005
【図４】
2005124607.tif 000006
【図５】
2005124607.tif 000007
【図６】
2005124607.tif 000008
【図７】
2005124607.tif 000009
【図８】
2005124607.tif 000010
【図９】
2005124607.tif 000011
【図１０】
2005124607.tif 000012
【図１１】
2005124607.tif 000013
【図１２】
2005124607.tif 000014
【図１３】
2005124607.tif 000015
【図１４】
2005124607.tif 000016
【図１５】
2005124607.tif 000017
【図１６】
2005124607.tif 000018